(57)【特許請求の範囲】
【請求項１】
ワイヤレス通信の方法であって、
第１の基地局にデバイスからの第１のメッセージを、前記デバイスによって、送信することと、前記第１のメッセージは、前記デバイスがデバイス・ツー・デバイス（Ｄ２Ｄ）通信セッションを開始することを望むことを指示し、前記第１のメッセージは、グループ識別（ＩＤ）コードを備え、
Ｄ２Ｄ無線ネットワーク一時識別子（ＲＮＴＩ）および前記グループＩＤコードに関連付けられたグループインデックスを備える、前記第１の基地局からの第２のメッセージを、前記デバイスによって、受信することと、前記グループインデックスは、前記グループＩＤコードに関連付けられた優先度レベルに従って割り当てられ、
前記第１の基地局に第３のメッセージを、前記デバイスによって、送信することと、前記第３のメッセージは、前記Ｄ２Ｄ通信セッションのために送信すべきデータがあるとの指示を備え、
前記Ｄ２Ｄ ＲＮＴＩに従って送信される、前記第１の基地局からの第４のメッセージを、前記デバイスによって、受信することと、
を備える、方法。
【請求項２】
前記グループＩＤコードは、前記Ｄ２Ｄ通信セッションに従事する１つまたは複数のデバイスのセットを識別するコードである、請求項１に記載の方法。
【請求項３】
前記第３のメッセージはさらに、前記グループＩＤコードを備える、請求項２に記載の方法。
【請求項４】
インデックスのセットにグループＩＤコードのセットを、前記デバイスによって、マッピングすること
をさらに備え、
ここにおいて、各グループＩＤコードは、異なるインデックスにマッピングされる、請求項２に記載の方法。
【請求項５】
前記第４のメッセージは、前記インデックスのセットからのインデックスを備える、請求項４に記載の方法。
【請求項６】
前記Ｄ２Ｄ通信セッションは、前記グループインデックスに従って前記第３のメッセージにおいて識別される、請求項２に記載の方法。
【請求項７】
送信すべきデータがあるとの前記指示は、バッファステータスレポート（ＢＳＲ）を備える、請求項１に記載の方法。
【請求項８】
前記第４のメッセージを、前記デバイスによって、前記受信することは、
前記Ｄ２Ｄ ＲＮＴＩを使用して前記第４のメッセージを、前記デバイスによって、デスクランブルすることと、
前記デスクランブルすることに基づいて、Ｄ２Ｄ通信のためのリソースを、前記デバイスによって、取得することと
を備える、請求項１に記載の方法。
【請求項９】
前記第２のメッセージは、Ｄ２Ｄ半持続性スケジューリング（ＳＰＳ）ＲＮＴＩをさらに備える、請求項１に記載の方法。
【請求項１０】
前記第４のメッセージの一部としてＤ２Ｄ ＳＰＳ起動メッセージを、前記デバイスによって、受信することと、
前記Ｄ２Ｄ ＳＰＳ起動メッセージに応答して、Ｄ２Ｄ ＳＰＳ起動アクノレッジメントを、前記デバイスによって、送信することと
をさらに備える、請求項９に記載の方法。
【請求項１１】
前記第２のメッセージは、Ｄ２Ｄ無線リソース制御（ＲＲＣ）構成パラメータをさらに備える、請求項１に記載の方法。
【請求項１２】
前記第１の基地局から第２の基地局へのハンドオーバを、前記デバイスによって、行うことと、
前記第２の基地局との接続モードにある間、前記Ｄ２Ｄ通信セッションを、前記デバイスによって、継続することと、ここにおいて、前記Ｄ２Ｄ通信セッションのための構成コンテキストは、前記第１の基地局から前記第２の基地局に送信されている、
をさらに備える、請求項１に記載の方法。
【請求項１３】
前記第１のメッセージを、前記デバイスによって、前記送信することは、前記デバイスにおけるＤ２Ｄ通信モードの選択に応答する、請求項１に記載の方法。
【請求項１４】
前記第４のメッセージは、Ｄ２Ｄスケジューリング割り当て（ＳＡ）またはＤ２Ｄデータ送信のためのリソース許可を備える、請求項１に記載の方法。
【請求項１５】
ワイヤレス通信のための装置であって、
プロセッサと、
前記プロセッサと電子通信するメモリと、
前記メモリに記憶された命令と
を備え、前記命令は、前記装置に、
第１の基地局にデバイスからの第１のメッセージを送信することと、前記第１のメッセージは、前記デバイスがデバイス・ツー・デバイス（Ｄ２Ｄ）通信セッションを開始することを望むことを指示し、前記第１のメッセージは、グループ識別（ＩＤ）コードを備え、
少なくともＤ２Ｄ無線ネットワーク一時識別子（ＲＮＴＩ）および前記グループＩＤコードに関連付けられたグループインデックスを備える、前記第１の基地局からの第２のメッセージを受信することと、前記グループインデックスは、前記グループＩＤコードに関連付けられた優先度レベルに従って割り当てられ、
前記第１の基地局に第３のメッセージを送信することと、前記第３のメッセージは、前記Ｄ２Ｄ通信セッションのために送信すべきデータがあることを指示し、
前記Ｄ２Ｄ ＲＮＴＩに従って送信される、前記第１の基地局からの第４のメッセージを受信することと
を行うことを命令するように前記プロセッサによって実行可能である、装置。
【請求項１６】
ワイヤレス通信の方法であって、
第１のデバイスからの第１のメッセージを基地局において受信することと、前記第１のメッセージは、前記第１のデバイスがデバイス・ツー・デバイス（Ｄ２Ｄ）通信セッションを開始することを望むことを指示し、前記第１のメッセージは、グループ識別（ＩＤ）コードを備え、
前記グループＩＤコードに関連付けられた優先度レベルに従って、前記Ｄ２Ｄ通信セッションのための前記グループＩＤコードにグループインデックスを割り当てることと、
前記基地局から前記第１のデバイスに第２のメッセージを送信することと、前記第２のメッセージは、前記Ｄ２Ｄ通信セッションに関連付けられたＤ２Ｄ無線ネットワーク一時識別子（ＲＮＴＩ）および前記グループインデックスを備え、
前記Ｄ２Ｄ通信セッションのために送信すべきデータがあることを指示する、前記第１のデバイスからの第３のメッセージを前記基地局において受信することと、
前記Ｄ２Ｄ ＲＮＴＩに従って、前記基地局から前記第１のデバイスに第４のメッセージを送信することと
を備える、方法。
【請求項１７】
前記グループＩＤコードは、前記Ｄ２Ｄ通信セッションに従事する１つまたは複数のデバイスのセットを識別するコードである、請求項１６に記載の方法。
【請求項１８】
前記Ｄ２Ｄ通信セッションのための前記グループＩＤコードに前記グループインデックスを割り当てることは、前記グループＩＤコードに関連付けられた前記優先度レベルに従って、アクティブなＤ２Ｄ通信セッションのためのグループインデックスのセット内に前記グループインデックスを配置することを備える、請求項１６に記載の方法。
【請求項１９】
システム情報メッセージにおいて前記グループＩＤコードに関連付けられた前記グループインデックスを、前記基地局からブロードキャストすること
をさらに備える、請求項１６に記載の方法。
【請求項２０】
前記Ｄ２Ｄ通信セッションについての承認のために加入者サーバにＤ２Ｄセッション要求メッセージを送ることと、
前記加入者サーバからの前記Ｄ２Ｄ通信セッションについてのＤ２Ｄサービス情報を受信することと、前記Ｄ２Ｄサービス情報は、前記第１のデバイスの加入者プロファイルに基づく、
をさらに備える、請求項１７に記載の方法。
【請求項２１】
前記Ｄ２Ｄサービス情報は、前記Ｄ２Ｄ通信セッションのための前記グループＩＤコードに関連付けられた前記グループインデックス、前記グループＩＤコードに関連付けられたグループ優先度情報、前記グループＩＤコードに関連付けられたデバイスについての優先度情報、またはこれらの組み合わせ、のうちのいずれかを備える、請求項２０に記載の方法。
【請求項２２】
前記グループ優先度情報に基づいて、前記Ｄ２Ｄ通信セッションのためのリソース割り振りを決定すること
をさらに備える、請求項２１に記載の方法。
【請求項２３】
前記第４のメッセージは、前記Ｄ２Ｄ通信セッションの第１のＤ２Ｄデータ送信のための第１のリソース許可を備え、ここにおいて、前記第１のリソース許可は、前記Ｄ２Ｄ通信セッションのための前記決定されたリソース割り振りに基づく、請求項２２に記載の方法。
【請求項２４】
第２のデバイスが前記Ｄ２Ｄ通信セッションのために送信すべきデータを有するとの、前記グループＩＤコードに関連付けられた前記第２のデバイスからの指示を前記基地局において受信することと、
前記Ｄ２Ｄ通信セッションの第２のＤ２Ｄデータ送信のための、前記第２のデバイスへの第２のリソース許可を前記基地局から送信することと
をさらに備える、請求項２３に記載の方法。
【請求項２５】
前記第１および第２のリソース許可は、前記第１および第２のデバイスに関連付けられた、それぞれのユーザ優先度情報に基づく、請求項２４に記載の方法。
【請求項２６】
前記グループ優先度情報は、前記グループＩＤコードに関連付けられた割り振り保持優先度（ＡＲＰ）を備える、請求項２１に記載の方法。
【請求項２７】
ワイヤレス通信のための装置であって、
プロセッサと、
前記プロセッサと電子通信するメモリと、
前記メモリに記憶された命令と
を備え、前記命令は、前記装置に、
第１のデバイスからの第１のメッセージを基地局において受信することと、前記第１のメッセージは、前記第１のデバイスがデバイス・ツー・デバイス（Ｄ２Ｄ）通信セッションを開始することを望むことを指示し、前記第１のメッセージは、グループ識別（ＩＤ）コードを備え、
前記グループＩＤコードに関連付けられた優先度レベルに従って、前記Ｄ２Ｄ通信セッションのための前記グループＩＤコードにグループインデックスを割り当てることと、
前記基地局から前記第１のデバイスに第２のメッセージを送信することと、前記第２のメッセージは、前記Ｄ２Ｄ通信セッションに関連付けられた少なくとも１つのＤ２Ｄ無線ネットワーク一時識別子（ＲＮＴＩ）を備え、
前記Ｄ２Ｄ通信セッションのために送信すべきデータがあることを指示する、前記第１のデバイスからの第３のメッセージを前記基地局において受信することと、
前記少なくとも１つのＤ２Ｄ ＲＮＴＩに従って、前記基地局から前記第１のデバイスに第４のメッセージを送信することと
を行うことを命令するように前記プロセッサによって実行可能である、装置。
【発明の詳細な説明】
【相互参照】
【０００１】
[0001]  本特許出願は、２０１５年１月２９日に提出された「Signaling Flows and Buffer Status Report for a Group In Device-To-Device Broadcast Communication」と題された、Baghelらによる、米国特許出願第１４／６０８，８１９号、２０１４年３月１８日に提出された「Signaling Flows and Buffer Status Report for a Group In Device-To-Device Broadcast Communication」と題された、Baghelらによる、米国仮特許出願第６１／９５５，１５０号、および２０１４年８月１８日に提出された「Signaling Flows and Buffer Status Report for a Group In Device-To-Device Broadcast Communication」と題された、Baghelらによる、米国仮特許出願第６２／０３８，５６８号への優先権を主張し、これらの各々はその譲受人に譲渡される。
【背景技術】
【０００２】
[0002]  本開示は、例えばワイヤレス通信システムに関し、より具体的には、デバイス・ツー・デバイスブロードキャスト通信におけるグループのためのシグナリングフローおよびバッファステータスレポートのための技術に関する。
【関連技術の説明】
【０００３】
[0003]  無線通信システムは、音声、ビデオ、パケットデータ、メッセージング、ブロードキャストなどのような、様々なタイプの通信コンテンツを提供するために広く展開されている。これらのシステムは、利用可能なシステムリソース（例えば、時間、周波数、および電力）を共有することによって複数のユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、および、直交周波数分割多元接続（ＯＦＤＭＡ）システムを含む。
【０００４】
[0004]  一般に、ワイヤレス多元接続通信システムは、それぞれが複数のモバイルデバイス、または他のユーザ機器（ＵＥ）デバイスに関する通信を同時にサポートする多数の基地局を含み得る。基地局は、ダウンストリームおよびアップストリームリンク上でＵＥと通信し得る。各基地局は、カバレッジ範囲を有し、それはセルのカバレッジエリアと呼ばれ得る。デバイス・ツー・デバイス（Ｄ２Ｄ）通信は、基地局のカバレッジエリア内のまたはカバレッジエリアを超えた、ＵＥ間の直接のワイヤレス通信を含む。Ｄ２Ｄ通信は、デバイスがカバレッジエリア内にある場合、基地局から送信をスケジューリングすることによって促進され得る。いくつかの場合には、Ｄ２Ｄ通信は、例えば、警察、消防、レスキュー隊のような公共の安全管理者によって利用される。
【０００５】
[0005]  いくつかの場合には、デバイスまたはデバイスのグループは、ネットワーク基地局のサービスエリア内にある間、Ｄ２Ｄ通信に従事し得る。このような場合、セッションのためのワイヤレスリソースを基地局と協調させるためにデバイスがＤ２Ｄ通信セッションに従事することが適切である可能性がある。基地局と協調しないＤ２Ｄ通信セッションは、エリア内の他の通信と干渉し得、同期およびスケジューリングのために、デバイス間の増大されたシグナリングを要求し得る。いくつかの場合には、サービング基地局と協調していないＤ２Ｄデバイスは、公共の治安維持活動（public safety operation）を妨げ得る、サービスの障害を経験し得る。
【発明の概要】
【０００６】
[0006]  説明される特徴は一般に、デバイス・ツー・デバイス（Ｄ２Ｄ）ワイヤレス通信のための１つまたは複数の改善されたシステム、方法、および／または装置に関する。デバイスは、デバイスがＤ２Ｄ通信セッションを開始することを望むことを指示する、基地局への開始メッセージを送信し得る。デバイスは次に、Ｄ２Ｄセッションの構成のためのパラメータを含む、基地局からの応答を受信し得る。別のデバイスに送るためのデータを有するとき、第１のデバイスは、基地局にバッファステータスレポート（ＢＳＲ）を送信し得る。基地局は、以前送られたパラメータに従って構成される、Ｄ２Ｄスケジューリング割り当て（ＳＡ）の許可を用いて応答し得る。例えば、メッセージは、Ｄ２Ｄ一時識別シーケンスを用いてスクランブルされ得る。いくつかの場合には、デバイスが基地局にグループ識別（ＩＤ）コードを送信し得、またグループＩＤがインデックスに関連付けられ得るため、そのグループのためのＳＡは、インデックスによって参照され得る。
【０００７】
[0007]  ワイヤレス通信の方法が説明され、方法は、デバイスがＤ２Ｄ通信セッションを開始することを望むことを指示する、第１の基地局へのデバイスからの第１のメッセージを送信することと、少なくとも１つのＤ２Ｄ構成パラメータを備える、第１の基地局からの第２のメッセージを受信することと、第１の基地局に第３のメッセージを送信することと、第３のメッセージは、Ｄ２Ｄ通信セッションのために送信すべきデータがあることを指示し、少なくとも１つのＤ２Ｄ構成パラメータに従って送信される、第１の基地局からの第４のメッセージを受信することと、を備える。
【０００８】
[0008]  ワイヤレス通信の装置が説明され、装置は、デバイスがＤ２Ｄ通信セッションを開始することを望むことを指示する、第１の基地局へのデバイスからの第１のメッセージを送信するための手段と、少なくとも１つのＤ２Ｄ構成パラメータを備える、第１の基地局からの第２のメッセージを受信するための手段と、第１の基地局に第３のメッセージを送信するための手段と、第３のメッセージは、Ｄ２Ｄ通信セッションのために送信すべきデータがあることを指示し、少なくとも１つのＤ２Ｄ構成パラメータに従って送信される、第１の基地局からの第４のメッセージを受信するための手段と、を備える。
【０００９】
[0009]  ワイヤレス通信のための装置がまた説明され、装置は、プロセッサと、プロセッサと電子通信するメモリと、メモリに記憶された命令とを備え、命令は、デバイスがＤ２Ｄ通信セッションを開始することを望むことを指示する、第１の基地局へのデバイスからの第１のメッセージを送信することと、少なくとも１つのＤ２Ｄ構成パラメータを備える、第１の基地局からの第２のメッセージを受信することと、第１の基地局に第３のメッセージを送信することと、第３のメッセージは、Ｄ２Ｄ通信セッションのために送信すべきデータがあることを指示し、少なくとも１つのＤ２Ｄ構成パラメータに従って送信される、第１の基地局からの第４のメッセージを受信することと、を行うようにプロセッサによって実行可能である。
【００１０】
[0010]  ワイヤレス通信のためのコンピュータプログラム製品がまた説明され、コンピュータプログラム製品は、デバイスがＤ２Ｄ通信セッションを開始することを望むことを指示する、第１の基地局へのデバイスからの第１のメッセージを送信することと、少なくとも１つのＤ２Ｄ構成パラメータを備える、第１の基地局からの第２のメッセージを受信することと、第１の基地局に第３のメッセージを送信することと、第３のメッセージは、Ｄ２Ｄ通信セッションのために送信すべきデータがあることを指示し、少なくとも１つのＤ２Ｄ構成パラメータに従って送信される、第１の基地局からの第４のメッセージを受信することと、を行うようにプロセッサによって実行可能である命令を記憶する、非一時的コンピュータ読取可能な媒体を備える。
【００１１】
[0011]  上述される方法、装置、および／またはコンピュータプログラム製品のいくつかの例は、デバイスがＤ２Ｄ通信セッションを終了することを望むことを指示する、第１の基地局への第５のメッセージを送信することをさらに備える。いくつかの例はさらに、Ｄ２Ｄ通信セッションに従事する１つまたは複数のデバイスのセットを識別する、第１の基地局への少なくとも１つのグループＩＤコードを送ること備え得る。
【００１２】
[0012]  上述される方法、装置、および／またはコンピュータプログラム製品のいくつかの例では、第３のメッセージはさらに、少なくとも１つのグループＩＤコードを備える。いくつかの例は、インデックスのセットにグループＩＤコードのセットをマッピングすることをさらに備え、ここにおいて、各グループＩＤコードは、異なるインデックスにマッピングされる。
【００１３】
[0013]  上述される方法、装置、および／またはコンピュータプログラム製品のいくつかの例では、第４のメッセージは、インデックスのセットからのインデックスを備える。いくつかの例はさらに、送信すべきデータがあるとの指示は、ＢＳＲであることを備え得る。
【００１４】
[0014]  上述される方法、装置、および／またはコンピュータプログラム製品のいくつかの例では、少なくとも１つのＤ２Ｄ構成パラメータは、通信セッションのためのグループＩＤコードに関連付けられたグループインデックスを備える。Ｄ２Ｄ通信セッションは、グループインデックスに従って、第３のメッセージにおいて識別され得る。
【００１５】
[0015]  上述される方法、装置、および／またはコンピュータプログラム製品のいくつかの例では、少なくとも１つのＤ２Ｄ構成パラメータは、Ｄ２Ｄ無線ネットワーク一時識別子（ＲＮＴＩ）を備える。いくつかの場合には、第４のメッセージを受信することは、Ｄ２Ｄ ＲＮＴＩを使用して第４のメッセージをデスクランブルすることを備える。
【００１６】
[0016]  上述される方法、装置、および／またはコンピュータプログラム製品のいくつかの例では、少なくとも１つのＤ２Ｄ構成パラメータは、Ｄ２Ｄ半持続性スケジューリング（ＳＰＳ）ＲＮＴＩを備える。いくつかの例はさらに、Ｄ２Ｄ ＳＰＳ起動メッセージを受信することと、Ｄ２Ｄ ＳＰＳアクノレッジメントを送信することと、をさらに備える。
【００１７】
[0017]  上述される方法、装置、および／またはコンピュータプログラム製品のいくつかの例では、少なくとも１つのＤ２Ｄ構成パラメータは、Ｄ２Ｄ無線リソース制御（ＲＲＣ）構成パラメータを備える。いくつかの例はさらに、第１の基地局から第２の基地局へのハンドオーバを行うことと、第２の基地局との接続モードにある間、Ｄ２Ｄ通信セッションを継続することと、ここにおいて、Ｄ２Ｄ通信セッションのための構成コンテキストは、第１の基地局から第２の基地局に送信されている、を備え得る。
【００１８】
[0018]  上述される方法、装置、および／またはコンピュータプログラム製品のいくつかの例では、第４のメッセージは、Ｄ２Ｄ ＳＡまたはＤ２Ｄデータ送信のためのリソース許可を備える。いくつかの例では、第１のメッセージを送信することは、デバイスにおけるＤ２Ｄ通信モードの選択に応答する。いくつかの例では、第１のメッセージは、グループＩＤコードを備える。いくつかの例では、各グループＩＤコードは、異なるインデックスにマッピングされる。
【００１９】
[0019]  上述される方法、装置、および／またはコンピュータプログラム製品のいくつかの例では、デバイスは、グループＩＤおよび／またはＲＮＴＩを備えるＭＭＥまたは第１の基地局からのページングメッセージを受信し得、ここにおいて、ページングメッセージは、デバイスがＤ２Ｄ ＳＡおよびデータ送信のためのリソース許可を受信することを開始し得るとの指示である。いくつかの例では、デバイスがＤ２Ｄ通信に従事するためのＭＭＥからの承認を第１の基地局が受信した後に、第２のメッセージが受信される。
【００２０】
[0020]  ワイヤレス通信の方法が説明され、方法は、第１のデバイスからの第１のメッセージを基地局において受信することと、第１のメッセージは、第１のデバイスがＤ２Ｄ通信セッションを開始することを望むことを指示し、基地局から第１のデバイスに第２のメッセージを送信することと、第２のメッセージは、Ｄ２Ｄ通信セッションに関連付けられた少なくとも１つのＤ２Ｄ構成パラメータを備え、Ｄ２Ｄ通信セッションのために送信すべきデータがあることを指示する、第１のデバイスからの第３のメッセージを基地局において受信することと、少なくとも１つのＤ２Ｄ構成パラメータに従って、基地局から第１のデバイスに第４のメッセージを送信することと、を備える。
【００２１】
[0021]  ワイヤレス通信のための装置が説明され、装置は、第１のデバイスからの第１のメッセージを基地局において受信するための手段と、第１のメッセージは、第１のデバイスがＤ２Ｄ通信セッションを開始することを望むことを指示し、基地局から第１のデバイスに第２のメッセージを送信するための手段と、第２のメッセージは、Ｄ２Ｄ通信セッションに関連付けられた少なくとも１つのＤ２Ｄ構成パラメータを備え、Ｄ２Ｄ通信セッションのために送信すべきデータがあることを指示する、第１のデバイスからの第３のメッセージを基地局において受信するための手段と、少なくとも１つのＤ２Ｄ構成パラメータに従って、基地局から第１のデバイスに第４のメッセージを送信するための手段と、を備える。
【００２２】
[0022]  プロセッサと、プロセッサと電子通信するメモリと、メモリ内に記憶された命令と、を備えるワイヤレス通信のための装置が説明され、命令は、第１のデバイスからの第１のメッセージを基地局において受信することと、第１のメッセージは、第１のデバイスがＤ２Ｄ通信セッションを開始することを望むことを指示し、基地局から第１のデバイスに第２のメッセージを送信することと、第２のメッセージは、Ｄ２Ｄ通信セッションに関連付けられた少なくとも１つのＤ２Ｄ構成パラメータを備え、Ｄ２Ｄ通信セッションのために送信すべきデータがあることを指示する、第１のデバイスからの第３のメッセージを基地局において受信することと、少なくとも１つのＤ２Ｄ構成パラメータに従って、基地局から第１のデバイスに第４のメッセージを送信することと、行うようにプロセッサによって実行可能である。
【００２３】
[0023]  ワイヤレス通信のためのコンピュータプログラム製品が説明され、コンピュータプログラム製品は、第１のデバイスからの第１のメッセージを基地局において受信することと、第１のメッセージは、第１のデバイスがＤ２Ｄ通信セッションを開始することを望むことを指示し、基地局から第１のデバイスに第２のメッセージを送信することと、第２のメッセージは、Ｄ２Ｄ通信セッションに関連付けられた少なくとも１つのＤ２Ｄ構成パラメータを備え、Ｄ２Ｄ通信セッションのために送信すべきデータがあることを指示する、第１のデバイスからの第３のメッセージを基地局において受信することと、少なくとも１つのＤ２Ｄ構成パラメータに従って、基地局から第１のデバイスに第４のメッセージを送信することと、を行うようにプロセッサによって実行可能である命令を記憶する、非一時的コンピュータ可読媒体を備える。
【００２４】
[0024]  上述される方法、装置、および／またはコンピュータプログラム製品のいくつかの例では、第１のメッセージは、Ｄ２Ｄ通信セッションに従事する１つまたは複数のデバイスのセットを識別する少なくとも１つのＩＤコードを備える。
【００２５】
[0025]  上述される方法、装置、および／またはコンピュータプログラム製品のいくつかの例はさらに、通信セッションのためのグループＩＤコードに関連付けられたグループインデックスを識別することを備え得る。
【００２６】
[0026]  上述される方法、装置、および／またはコンピュータプログラム製品のいくつかの例では、グループインデックスを識別することは、Ｄ２Ｄ通信セッションのためのグループＩＤコードにグループインデックスを割り当てることを備える。Ｄ２Ｄ通信セッションのためのグループＩＤコードにグループインデックスを割り当てることは、グループＩＤコードに関連付けられた優先度レベルに従って、アクティブなＤ２Ｄ通信セッションのためのグループインデックスのセット内にグループインデックスを配置することを含む。
【００２７】
[0027]  上述される方法、装置、および／またはコンピュータプログラム製品のいくつかの例では、グループインデックスを識別することは、第１のメッセージ内でグループインデックスを受信することを備える。
【００２８】
[0028]  上述される方法、装置、および／またはコンピュータプログラム製品のいくつかの例はさらに、システム情報メッセージにおいてグループＩＤコードに関連付けられたグループインデックスを、基地局からブロードキャストすることを備え得る。
【００２９】
[0029]  上述される方法、装置、および／またはコンピュータプログラム製品のいくつかの例はさらに、Ｄ２Ｄ通信セッションについての承認のために加入者サーバにＤ２Ｄセッション要求メッセージを送ることと、加入者サーバからのＤ２Ｄ通信セッションについてのＤ２Ｄサービス情報を受信することと、Ｄ２Ｄサービス情報は、第１のデバイスの加入者プロファイルに少なくとも部分的に基づく、を備え得る。Ｄ２Ｄサービス情報は、Ｄ２Ｄ通信セッションのためのグループＩＤコードに関連付けられたグループインデックス、グループＩＤコードに関連付けられたグループ優先度情報、グループＩＤコードに関連付けられたデバイスについてのユーザ優先度情報、またはこれらの組み合わせ、のうちのいずれかを含む。グループ優先度情報は、グループＩＤコードに関連付けられた割り振り保持優先度（ＡＲＰ）を含み得る。
【００３０】
[0030]  上述される方法、装置、および／またはコンピュータプログラム製品のいくつかの例はさらに、グループ優先度情報に少なくとも部分的に基づいて、Ｄ２Ｄ通信セッションのためのリソース割り振りを決定することを備え得る。例えば、第４のメッセージは、Ｄ２Ｄ通信セッションの第１のＤ２Ｄデータ送信のための第１のリソース許可を含み、第１のリソース許可は、Ｄ２Ｄ通信セッションのための決定されたリソース割り振りに少なくとも部分的に基づき得る。
【００３１】
[0031]  上述される方法、装置、および／またはコンピュータプログラム製品のいくつかの例はさらに、第２のデバイスがＤ２Ｄ通信セッションのために送信すべきデータを有するとの、グループＩＤコードに関連付けられた第２のデバイスからの指示を基地局において受信することと、Ｄ２Ｄ通信セッションの第２のＤ２Ｄデータ送信のための、第２のデバイスへの第２のリソース許可を基地局から送信することと、を備え得る。第１および第２のリソース許可は、第１および第２のデバイスに関連付けられた、それぞれのユーザ優先度情報に少なくとも部分的に基づく。
【００３２】
[0032]  説明される方法および装置の適用可能性のさらなる範囲は、下記の詳細な説明、特許請求の範囲、および図面から明らかになるだろう。詳細な説明および具体的な例は、説明の範囲および精神内の様々な変更および修正が当業者にとって明らかとなり得るため、例示の目的でのみ与えられる。
【図面の簡単な説明】
【００３３】
[0033]  本発明の本質および利点のさらなる理解は、下記の図面を参照することによって実現され得る。添付の図面では、同様のコンポーネントまたは特徴は、同じ参照ラベルを有し得る。さらに、同じタイプの様々なコンポーネントは、参照ラベルの後に、ダッシュと、それらの同様のコンポーネント同士を区別する第２のラベルとを続けることによって区別され得る。第１の参照ラベルのみが明細書において使用される場合、その説明は、第２の参照ラベルにかかわらず、同じ第１の参照ラベルを有する同様のコンポーネントのうちの任意の１つに適用可能である。
【図１】[0034]  図１は、本開示の様々な態様に従った、デバイス・ツー・デバイス（Ｄ２Ｄ）ワイヤレス通信システムの例を示す。
【図２】[0035]  図２は、本開示の様々な態様に従った、ロングタームエボリューション（ＬＴＥ（登録商標））／ＬＴＥ−アドバンストネットワークアーキテクチャを図示する図を示す。
【図３】[0036]  図３は、本開示の様々な態様に従った、ワイヤレスＤ２Ｄ通信のためのシグナリングフローの例を図示する。
【図４】[0037]  図４は、本開示の様々な態様に従った、ワイヤレスＤ２Ｄ通信のために維持され得るグループ優先度情報を図示する。
【図５】[0038]  図５は、本開示の様々な態様に従った、ワイヤレスＤ２Ｄ通信のためのデバイスのブロック図を示す。
【図６】[0039]  図６は、本開示の様々な態様に従った、ワイヤレスＤ２Ｄ通信のためのデバイスのブロック図を示す。
【図７】[0040]  図７は、本開示の様々な態様に従った、ワイヤレスＤ２Ｄ通信のためのデバイスのブロック図を示す。
【図８】[0041]  図８は、本開示の様々な態様に従った、ワイヤレスＤ２Ｄ通信のためのシステムのブロック図を図示する。
【図９】[0042]  図９は、本開示の様々な態様に従った、ワイヤレスＤ２Ｄ通信をサポートするための基地局のブロック図を示す。
【図１０】[0043]  図１０は、本開示の様々な態様に従った、ワイヤレスＤ２Ｄ通信をサポートするための基地局のブロック図を示す。
【図１１】[0044]  図１１は、本開示の様々な態様に従った、ワイヤレスＤ２Ｄ通信をサポートするための基地局のブロック図を示す。
【図１２】[0045]  図１２は、本開示の様々な態様に従った、ワイヤレスＤ２Ｄ通信のための方法を図示するフローチャートを示す。
【図１３】[0046]  図１３は、本開示の様々な態様に従った、ワイヤレスＤ２Ｄ通信のための方法を図示するフローチャートを示す。
【図１４】[0047]  図１４は、本開示の様々な態様に従った、ワイヤレスＤ２Ｄ通信のための方法を図示するフローチャートを示す。
【図１５】[0048]  図１５は、本開示の様々な態様に従った、ワイヤレスＤ２Ｄ通信のための方法を図示するフローチャートを示す。
【発明の詳細な説明】
【００３４】
[0049]  一般に、デバイス・ツー・デバイス（Ｄ２Ｄ）ワイヤレス通信のための、１つまたは複数の改善されたシステム、方法、および／または装置に関する特徴が説明される。デバイス（例えば、ユーザ機器（ＵＥ））は、ＵＥがグループ識別（ＩＤ）コードに関連付けられたグループについてのＤ２Ｄ通信セッションを開始することを望むことを指示する、基地局への開始メッセージを送信し得る。ＵＥは次に、Ｄ２Ｄセッションの構成のためのパラメータを含む基地局からの応答を受信し得、それは、いくつかの例では、Ｄ２Ｄ通信セッションのためのグループインデックスおよび／またはＤ２Ｄ一時識別シーケンスを含み得る。別のＵＥに送るためのデータを有するとき、ＵＥは、基地局にバッファステータスレポート（ＢＳＲ）を送信し得、それは、Ｄ２Ｄ通信セッションを識別するためにグループインデックスを使用し得る。基地局は、以前送られたパラメータに従って構成されるＤ２Ｄスケジューリング割り当て（ＳＡ）のための許可を用いて応答し得る。例えば、メッセージは、Ｄ２Ｄ一時識別シーケンスを用いてスクランブルされ得る。
【００３５】
[0050]  説明される特徴は、アクティブなＤ２Ｄ通信セッションのためのグループインデックスを識別することを含む。グループインデックスは、基地局によって割り当てられ、ネットワークエンティティから受信され、または、Ｄ２Ｄ通信セッションを開始するＵＥによって選択および送信され得る。基地局は、Ｄ２Ｄ通信セッションのための優先度情報を受信し得、それは、グループ優先度情報および／またはグループ内のＵＥ優先度情報を含み得る。
【００３６】
[0051]  これらの特徴は、一般に、デバイスまたはデバイスのグループがＤ２Ｄ通信セッションをサービング基地局と協調させ得る手段を提供し得る。これは、デバイスがＤ２Ｄ通信に従事することを可能にし、Ｄ２Ｄ送信とネットワーク送信との間の干渉を軽減し、公共の治安維持活動が、途切れることのない通信能力を続行することを保証し得る。
【００３７】
[0052]  本明細書で説明された技法は、ＣＤＭＡ、ＴＤＭＡ、ＦＤＭＡ、ＯＦＤＭＡ、ＳＣ−ＦＤＭＡおよびその他のシステムのような様々なワイヤレス通信システムのために使用され得る。「システム」および「ネットワーク」という用語は、しばしば区別なく使用される。ＣＤＭＡシステムは、ＣＤＭＡ２０００、ユニバーサル地上無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリース０およびＡは通常、ＣＤＭＡ２０００ １Ｘ、１Ｘなどと呼ばれる。ＩＳ−８５６（ＴＩＡ−８５６）は通常、ＣＤＭＡ２０００ １ｘ ＥＶ−ＤＯ、高レートパケットデータ（ＨＲＰＤ）など呼ばれる。ＵＴＲＡは、広帯域ＣＤＭＡ（ＷＣＤＭＡ（登録商標））および他の様々なＣＤＭＡを含む。ＴＤＭＡシステムは、モバイル通信のためのグローバルシステム（ＧＳＭ（登録商標））のような無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ ８０２. １１（Ｗｉ−Ｆｉ）、ＩＥＥＥ ８０２. １６（ＷｉＭＡＸ）、ＩＥＥＥ ８０２. ２０、Ｆｌａｓｈ−ＯＦＤＭなどのような無線技術を実装し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの最新リリースである。ＵＴＲＡ、Ｅ―ＵＴＲＡ、ＵＭＴＳ、ＬＴＥ、ＬＴＥ−Ａ、ＧＳＭは、「第３世代パートナーシッププロジェクト」（３ＧＰＰ）と名付けられた団体からの文書に説明されている。ＣＤＭＡ２０００およびＵＭＢは、「第３世代パートナーシッププロジェクト２」（３ＧＰＰ２）と名付けられた団体からの文書に説明されている。本明細書で説明される技法は、他のシステムおよび無線技術と同様に、上述されたシステムおよび無線技術のために使用され得る。しかしながら、以下の説明は、例示の目的でＬＴＥシステムを説明し、ＬＴＥの専門用語が下記の説明のほとんどで使用されるが、これらの技法はＬＴＥアプリケーション以外にも適用可能である。
【００３８】
[0053]  よって、下記の説明は例を提供するものであり、特許請求の範囲に記載される範囲、適用可能性、または構成を限定するものではない。本開示の精神および範囲から逸脱することなく、論じられる要素の機能および配列に変更がなされ得る。様々な例は、必要に応じて、様々なプロシージャまたはコンポーネントを省略、代用、あるいは追加し得る。例えば、説明される方法は、説明されるものとは異なる順序で行われ、また、様々なステップが追加、省略、または組み合わされ得る。また、特定の例に関して説明される特徴は、他の例に組み合わされ得る。
【００３９】
[0054]  図１は、本開示の様々な態様に従った、Ｄ２Ｄワイヤレス通信システム１００の例を示す。Ｄ２Ｄワイヤレス通信システム１００は、基地局１０５、ＵＥ １１５としても既知の通信デバイス、およびコアネットワーク１３０を含む。基地局１０５は、基地局コントローラ（図示されない）の制御下でＵＥ １１５と通信し得、それは、様々な例においてコアネットワーク１３０または基地局１０５の一部であり得る。基地局１０５は、制御情報および／またはユーザデータを、バックホールリンク１３２を通してコアネットワーク１３０と通信し得る。例では、基地局１０５は、直接的または間接的に、バックホールリンク１３４上で互いに通信し得、それは、有線またはワイヤレス通信リンクであり得る。Ｄ２Ｄワイヤレス通信システム１００は、複数のキャリア（異なる周波数の波形信号）上の動作をサポートし得る。ワイヤレス通信リンク１２５は、様々な無線技術に従って変調され得る。各変調された信号は、制御情報（例えば、基準信号、制御チャネルなど）、オーバーヘッド情報、データなどを搬送し得る。ワイヤレス通信リンク１２０はまた、Ｄ２Ｄ通信として既知の構成においてＵＥ−１１５ａ間で確立され得る。
【００４０】
[0055]  基地局１０５は、１つまたは複数の基地局アンテナを介してＵＥ １１５とワイヤレスに通信し得る。基地局１０５のサイト（sites）の各々は、それぞれの地理的エリア１１０についての通信カバレッジを提供し得る。いくつかの例では、基地局１０５は、ベーストランシーバ局、無線基地局、アクセスポイント、無線トランシーバ、基本サービスセット（ＢＳＳ）、拡張型サービスセット（ＥＳＳ）、ノードＢ、ｅノードＢ（ｅＮＢ）、ホームノードＢ、ホームｅノードＢ、またはいくつかの他の適切な技術用語で呼ばれ得る。基地局についてのカバレッジエリア１１０は、カバレッジエリアの一部のみを構成するセクタに分割され得る。Ｄ２Ｄワイヤレスシステム１００は、異なるタイプ（例えば、マクロ、マイクロ、および／またはピコ基地局）の基地局１０５を含み得る。異なる技術のためにオーバーラップしているカバレッジエリアもあり得る。
【００４１】
[0056]  Ｄ２Ｄワイヤレス通信システム１００は、異なるタイプの基地局が様々な地理的領域に関するカバレッジを提供する、異種ＬＴＥ／ＬＴＥ−Ａネットワークであり得る。例えば、各基地局１０５は、マクロセル、ピコセル、フェムトセル、および／または他のタイプのセルのために通信カバレッジを提供し得る。マクロセルは一般に、相対的に広い地理的エリア（例えば、半径数キロメートル）をカバーし、ネットワークプロバイダとのサービス加入を有するデバイスによる制限のないアクセスを可能にし得る。ピコセルは一般に、相対的に小さい地理的エリアをカバーし、ネットワークプロバイダとのサービス加入を有するデバイスによる制限のないアクセスを可能にし得る。フェムトセルもまた一般に、相対的に小さな地理的エリア（例えば、家）をカバーし、制限のないアクセスに加え、フェムトセルとの関連付けを有するデバイスによって制限されたアクセスもまた提供し得る。
【００４２】
[0057]  コアネットワーク１３０は、バックホール１３２（例えば、Ｓ１など）を介して基地局１０５と通信し得る。基地局１０５はまた、例えば、バックホールリンク１３４（例えば、Ｘ２インターフェースなど）を介して直接的または間接的に、および／またはバックホールリンク１３２を介して（例えば、コアネットワーク１３０を通じて）互いに通信し得る。ワイヤレス通信ネットワークシステム１００は、同期または非同期動作をサポートし得る。同期動作について、基地局は、同様のフレームタイミングを有し得、異なる基地局からの送信は、時間でおおまかにアラインされ得る。非同期動作について、基地局は、異なるフレームタイミングを有し得、また異なる基地局からの送信は、時間でアラインされない可能性がある。本明細書で説明される技法は、同期または非同期動作のいずれかのために使用され得る。
【００４３】
[0058]  様々な開示される例のいくつかを含み（accommodate）得る通信ネットワークは、レイヤードプロトコルに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、論理チャネルを介して通信するために、パケットのセグメント化および再構成を行い得る。媒体アクセス制御（ＭＡＣ）レイヤは、優先度処理、およびトランスポートチャネルへの論理チャネルの多重化を行い得る。ＭＡＣレイヤはまた、リンク効率を改善するために、ＭＡＣレイヤにおける再送信を提供するためのハイブリッド自動再送要求（ＨＡＲＱ）を使用し得る。制御プレーンでは、無線リソース制御（ＲＲＣ）プロトコルレイヤは、ユーザプレーンデータのための無線ベアラをサポートする、ＵＥ １１５と基地局１０５またはコアネットワーク１３０との間のＲＲＣ接続の確立、構成、および維持を提供し得る。物理（ＰＨＹ）レイヤにおいて、トランスポートチャネルは、物理チャネルにマッピングされ得る。
【００４４】
[0059]  ＵＥ １１５は、ワイヤレス通信システム１００全体に分散され、各デバイスは、固定式またはモバイルであり得る。ＵＥ １１５は、Ｄ２Ｄ通信を使用して他のＵＥと通信し得る。Ｄ２Ｄ通信を利用するデバイスのグループのうちの１つまたは複数（例えば、第１のＵＥ １１５−ａ−１）は、セル（例えば、基地局１０５−ａ）のカバレッジエリア１１０−ａ内にあり得る。グループ内の他のＵＥ（例えば、第２のＵＥ １１５−ａ−２）は、セルのカバレッジエリア１１０−ａの外側にあり得るか、またはそうでなければ、基地局１０５−ａからの送信を受信することができない可能性がある。Ｄ２Ｄ通信を介して通信するＵＥ １１５−ａのグループは、各ＵＥ １１５−ａがグループ内の他の全てのＵＥ １１５−ａに送信する１対多数（１：Ｍ）のシステムを利用し得る。いくつかの場合には、基地局１０５−ａはＤ２Ｄ通信のためのリソースのスケジューリングを容易にする。他の場合には、Ｄ２Ｄ通信は、基地局１０５とは関係なく実施される。いくつかの場合には、Ｄ２Ｄ通信に従事するＵＥ １１５−ａは、相対的に接近して位置付けられ得る。他の状況では、ＵＥ １１５−ａは、長距離にわたって互いに通信し得る。いくつかの場合には、ＵＥ １１５−ａは、グループの一部としてＵＥ １１５−ａを識別および認証するために使用され得るグループＩＤコードと関連付けられ得る。グループＩＤコードは、例えば、グループをグルーバルにまたはプロバイダネットワーク内で一意的に識別し得る。いくつかの場合には、グループＩＤコードは、４８ビットのＩＤコードであるが、いくつかの例では、より大きいまたはより小さい数のビットを有するグループＩＤコードが使用され得る。
【００４５】
[0060]  ＵＥ １１５はまた、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイルサブスクライバ局、アクセス端末、モバイル端末、ワイヤレス端末、リモート端末、ハンドセット、ユーザエージェント、モバイルクライアント、クライアント、またはいくつかの他の適切な専門用語で呼ばれ得る。ＵＥ １１５は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。デバイスは、マクロｅＮＢ、ピコｅＮＢ、フェムトｅＮＢ、リレーなどと通信することが可能であり得る。
【００４６】
[0061]  システム１００において示されるワイヤレス通信リンク１２５は、ＵＥ １１５から基地局１０５へのアップリンク（ＵＬ）送信、および／またはダウンリンク（ＤＬ）キャリアを介する基地局１０５からＵＥ １１５へのＤＬ送信を含み得る。ダウンリンク送信はまた、順方向リンク送信と呼ばれ得、一方、アップリンク送信はまた、逆方向リンク送信と呼ばれ得る。Ｄ２Ｄワイヤレス通信システム１００はまた、Ｄ２Ｄ通信リンク１２０をサポートし得、それは、基地局１０５とＵＥ １１５との間のワイヤレス通信リンク１２５によって使用されるものと同じキャリア（例えば、ＤＬ、ＵＬなど）を介して通信され得る。
【００４７】
[0062]  図２は、本開示の様々な態様に従った、ＬＴＥ／ＬＴＥ−アドバンストネットワークアーキテクチャを図示する図２００を示す。ＬＴＥ／ＬＴＥ−Ａネットワークアーキテクチャは、コアネットワーク（発展型パケットシステム（ＥＰＳ）と呼ばれる）を含み得る。ＥＰＳは、１つまたは複数のＵＥ １１５にネットワークアクセスサービスを提供するのをサポートする、発展型ＵＭＴＳ地上無線アクセスネットワーク（Ｅ−ＵＴＲＡＮ）２０５、および発展型パケットコア（ＥＰＣ）１３０−ａを含み得る。ＥＰＳは、様々なパケットデータネットワーク（ＰＤＮ）２８０に接続し得、それはインターネット、イントラネット、ＩＰマルチメディアサブシステム（ＩＭＳ）、およびパケット交換（ＰＳ）ストリーミングサービス（ＰＳＳ）を含み得る。ＥＰＳは他のアクセスネットワークと相互接続し得るが、簡潔化のために、それらのエンティティ／インターフェースは示されていない。示されるように、ＥＰＳはパケット交換サービスを提供するが、当業者が容易に理解し得るように、本開示の全体にわたって表される様々な概念は、回線交換サービスを提供するネットワークに拡張され得る。
【００４８】
[0063]  Ｅ−ＵＴＲＡＮ ２０５は、ｅＮＢ １０５を含み得、それは、ＵＥ １１５へとユーザおよび制御プレーンプロトコル送信を提供し得る。ｅＮＢ １０５は、互いに接続し得る（例えば、Ｘ２インターフェースなどを介して）。ｅＮＢ １０５は、ＵＥ １１５のためにＥＰＣ １３０へのアクセスポイントを提供し得る。ｅＮＢ １０５は、ＥＰＣ １３０−ａに１つまたは複数のインターフェース（例えば、Ｓ１−Ｃ、Ｓ１−Ｕなど）によって接続され得る。ＥＰＣ １３０−ａは、移動性管理エンティティ（ＭＭＥ）２２０、サービングゲートウェイ（ＳＧＷ）２４０、ホーム加入者サーバ（ＨＳＳ）２３０、およびパケットデータネットワークゲートウェイ（ＰＤＮ−ＧＷ）２５０を含み得る。ＭＭＥ ２２０は、ＵＥ １１５とＥＰＣ １３０−ａとの間のシグナリングを処理する制御ノードであり得る。一般に、ＭＭＥ ２２０は、ベアラおよび接続管理を提供し得る。ＨＳＳ２３０は、ネットワークに関連付けられたＵＥ １１５についての加入情報を記憶し得る。ＨＳＳ ２３０は、ネットワークを介してＵＥ １１５に提供されるサービスのために、認証および承認を行い得る。全てのユーザＩＰパケットは、それ自体がＰＤＮ−ＧＷ ２５０に接続され得る、ＳＧＷ２４０を通して転送され得る。ＰＤＮ−ＧＷ ２５０は、他の機能と同様にＵＥ ＩＰアドレスの割り振りを提供し得る。ＰＤＮ−ＧＷ ２５０は、１つまたは複数のＰＤＮ ２８０に接続され得る。
【００４９】
[0064]  図３は、本開示の様々な態様に従った、ワイヤレスＤ２Ｄ通信のためのシグナリングフロー３００の例を図示する。シグナリングフロー３００では、ＵＥ １１５−ｂ−１およびＵＥ １１５−ｂ−２は、Ｄ２Ｄ通信のためのグループ３０２の一部であり得、これらは、基地局１０５−ｂ、ＭＭＥ ２２０−ａ、およびＨＳＳ ２３０−ａを含むネットワーク（例えば、ＬＴＥ／ＬＴＥ−Ａネットワーク）内のグループＩＤコードによって識別され得る。ＵＥ １１５−ｂ−１およびＵＥ １１５−ｂ−２は図１または図２のＵＥ １１５の例であり得、基地局１０５−ｂは図１または図２の基地局１０５の例であり得る。
【００５０】
[0065]  ＵＥ １１５−ｂ−１がグループ３０２についてＤ２Ｄ通信セッションを開始するのを所望することを指示する、基地局１０５−ｂへの第１のメッセージ３０５（例えば、図示されるようなＤ２Ｄ開始メッセージ）を送信し得る。１つの例では、第１のメッセージ３０５は、Ｄ２Ｄ通信セッションを開始するためのリクエストを指示するＲＲＣメッセージであり得る。いくつかの例では、第１のメッセージ３０５の送信は、ＵＥ １１５−ｂにおけるＤ２Ｄ通信モードの選択に応答し得る。
【００５１】
[0066]  いくつかの場合には、第１のメッセージ３０５は、Ｄ２Ｄ通信セッションのためのＤ２Ｄ通信に従事し得るデバイスのグループ３０２のためのグループＩＤコードを含み得る。いくつかの場合には、１より多いグループＩＤコードが送られ得る。グループＩＤコードは、どのＤ２ＤグループがＤ２Ｄ通信セッションのための将来のＤ２Ｄメッセージの対象であるかを識別するために使用され得る。例えば、公共の治安維持チームは、チームのメンバーによって使用される各デバイスを、予め定義されたグループＩＤと関連付け得る。
【００５２】
[0067]  基地局１０５−ｂは、Ｄ２Ｄ通信セッションを認証および承認するために、メッセージング３１０を交換し得る。例えば、基地局１０５−ｂは、ＭＭＥ ２２０−ａおよび／またはＨＳＳ２３０−ａにＤ２Ｄセッション要求メッセージを送り得る。Ｄ２Ｄセッション要求メッセージは、例えば、グループＩＤコードおよび／またはＵＥのＩＤ（例えば、国際モバイル加入者識別子（ＩＭＳＩ）など）を含み得る。ＭＭＥ ２２０−ａは、ＨＳＳとメッセージングを交換し得、それは、ＵＥ １１５−ｂ−１がグループ３０２についてのＤ２Ｄ通信セッションを開始することが承認されるかどうかを決定し得る。基地局１０５−ｂは、Ｄ２Ｄ通信セッションが認証および承認されることを指示する、ＭＭＥ ２２０−ａおよび／またはＨＳＳ２３０−ａからのＤ２Ｄ通信セッションのためのＤ２Ｄサービス情報を（例えば、Ｄ２Ｄ承認メッセージにおいて）受信し得る。Ｄ２Ｄサービス情報は、ＵＥ １１５−ｂ−１の加入者プロファイルに少なくとも部分的に基づいて、ＭＭＥ ２２０−ａおよび／またはＨＳＳ ２３０−ａによって決定され得る。
【００５３】
[0068]  いくつかの例では、グループ３０２は、優先度情報（例えば、割り振り保持優先度（ＡＲＰ）など）に関連付けられ得る。例えば、ＨＳＳ２３０−ａは、各グループＩＤおよび／またはＵＥ １１５に関連付けられた優先度情報のデータ記録を維持し得る。図４は、本開示の様々な態様に従った、ＨＳＳ ２３０−ａにおいて維持され得るＤ２Ｄ優先度情報４００を図示する。図４に図示されるように、ＨＳＳ ２３０−ａは、各グループおよび各ＵＥ １１５の加入者に関連付けられた情報を記憶し得る。グループ４１０−ａについて、ＨＳＳ ２３０−ａは、グループ優先度情報４２０−ａおよび／またはＵＥ優先度情報４３０−ａを記憶し得る。グループ優先度情報４２０−ａは、他のグループＩＤコードに関連したグループＩＤコードの優先度に関連し得る。ＵＥ優先度情報４３０−ａは、グループ内のＵＥの優先度に関連し得る。例えば、緊急の応答者（emergency responders）に関して、キャプテンまたは他の管理および制御エンティティは、Ｄ２Ｄグループ内でより高い優先度を有し得る。ＨＳＳ ２３０−ａは、追加のグループ４１０−ｂ、４１０−ｎなどについての追加のグループ優先度情報およびＵＥ優先度情報を記憶し得る。Ｄ２Ｄサービス情報は、グループＩＤコードに関連付けられたグループ優先度情報、グループ内のＵＥについてのＵＥ優先度情報、グループＩＤコード、および／またはＤ２Ｄ通信セッションのためのグループインデックスを含み得る。
【００５４】
[0069]  図３に戻って、基地局１０５−ｂは、ブロック３１５においてＤ２Ｄ通信セッションのためのグループインデックス３１５を識別し得る。グループインデックス３１５は、グルーバルに、またはプロバイダネットワーク内でグループを識別するために使用されるグループＩＤコードよりもより少ないビットを有するインデックスであり得る。例えば、グループＩＤコードが一般に４８ビットまたはそれより長いものであり得るが、グループインデックスは、４、８、１２、または１６ビットであり得る。よって、グループインデックスは、グループＩＤコードの長さが他の制御エレメントまたはパケットデータを搬送する際の効率のロスを引き起こし得るレイヤ−２シグナリング（例えば、ＭＡＣ制御エレメント）のようなメッセージングで使用され得る。
【００５５】
[0070]  いくつかの例では、基地局１０５−ｂは、Ｄ２Ｄ通信セッションのためにグループインデックス３１５を割り当て得る。例えば、基地局１０５−ｂは、グループインデックスのセットを維持し得、また第１のメッセージ３０５を受信する際に、Ｄ２Ｄ通信セッションのために現在使用されていないグループインデックス３１５にグループＩＤコードを割り当て得る。基地局１０５−ｂは、グループ優先度情報に基づいて、グループインデックスのセット内にグループＩＤコードに割り当てられたグループインデックス３１５を配置し得る。
【００５６】
[0071]  他の例では、基地局１０５−ｂは、Ｄ２Ｄ通信セッションの認証および承認のためのネットワークメッセージング３１０に基づいて、グループインデックス３１５を識別し得る。例えば、グループインデックスは、ＨＳＳにおいてグループＩＤコードに静的または準静的に割り当てられ得、ＨＳＳ ２３０−ａは、基地局１０５−ｂへのＤ２Ｄ承認メッセージにおいてグループインデックス３１５を提供し得る。
【００５７】
[0072]  さらに他の例では、Ｄ２Ｄ通信セッションを開始するＵＥ １１５−ｂ−１は、通信セッションのためのグループインデックスを選択し得、第１のメッセージにおいて基地局１０５−ｂにグループインデックスを送り得る。例えば、ＵＥ １１５−ｂ−１は、グループＩＤコード、および／または、システムフレームナンバ（ＳＦＮ）、ＵＥ ＩＤ（例えば、ＩＭＳＩなど）などのような、他のパラメータの擬似ランダム関数に基づいて、グループインデックスを決定し得る。
【００５８】
[0073]  基地局１０５−ｂは、Ｄ２Ｄ通信セッションのための少なくとも１つのＤ２Ｄ構成パラメータを含むＵＥ １１５−ｂ−１への第２のメッセージ３２０（例えば、Ｄ２Ｄ構成応答）を送り得る。少なくとも１つのＤ２Ｄ構成パラメータは、割り当てられたグループインデックス３１５、Ｄ２Ｄ通信セッションのためのＤ２Ｄ無線ネットワーク一時識別子（ＲＮＴＩ）などを含み得る。いくつかの例では、Ｄ２Ｄ構成パラメータは、Ｄ２Ｄ半持続性スケジューリング（ＳＰＳ）ＲＮＴＩを含む。第２のメッセージ３２０はまた、他のＲＲＣ構成パラメータを含み得る。
【００５９】
[0074]  いくつかの場合には、基地局１０５−ｂは、グループ内の他のデバイスにＤ２Ｄ通信セッションに関連した情報を送信し得る。例えば、基地局１０５−ｂは、Ｄ２Ｄ通信セッションに割り当てられたグループインデックス３１５を含むシステム情報メッセージング（例えば、システム情報ブロック（ＳＩＢ）など）３２５をブロードキャストし得る。追加的にまたは代替的に、基地局１０５−ｂは、ＵＥ １１５−ｂ−２のようなグループ内の他のＵＥ １１５にページングメッセージ３２５を送り得る。ページングメッセージ３２５は、そのグループからのデバイスがＤ２Ｄスケジューリングおよび送信のためのリソースを受信し得ることを指示する、グループインデックスおよび／またはＲＮＴＩを含み得る。いくつかの例では、他の基地局１０５はまた、グループ内の他のデバイスにＤ２Ｄ通信セッションに関連した情報を送信し得る。例えば、グループインデックスは、追跡エリアに対して割り当てられ得、また追跡エリア内の他の基地局１０５は、Ｄ２Ｄ通信セッションに関連した情報をブロードキャストし得る。
【００６０】
[0075]  ＵＥ １１５−ｂ−１は次に、基地局１０５−ａに第３のメッセージ３３０（例えば、Ｄ２Ｄ ＢＳＲ）を送信し得る。第３のメッセージ３３０は、ＵＥ １１５−ｂ−１がＤ２Ｄ通信セッションのために送信するためのデータを有することを指示し得る。いくつかの場合には、グループＩＤコードは、ＵＥ １１５−ｂ−１がリソースを要求するグループを識別するために使用され得る。追加的にまたは代替的にＵＥ １１５−ｂ−１は、第３のメッセージ３３０においてグループを識別するためのグループＩＤコードに関連付けられたグループインデックス３１５を使用し得る。例えば、Ｄ２Ｄ ＢＳＲは、第３のメッセージ３３０内のＭＡＣ制御エレメントとして第３のメッセージにおいて送信され得る。Ｄ２Ｄ ＢＳＲは、グループインデックス３１５、バッファサイズ値、および／またはバッファステータスが報告される論理チャネルのグループを識別する論理チャネルグループＩＤフィールド（ＬＣＧ ＩＤ）を含む。いくつかの場合には、グループインデックス３１５は８ビットであり得、ＬＣＧ ＩＤは２ビットであり得、バッファサイズ値は６ビットであり得る。他の例では、グループインデックス３１５および／またはバッファサイズ値は、より多いまたはより少ないビットであり得、ＬＣＧ ＩＤフィールドは省略され（omitted）得る。よって、Ｄ２Ｄ ＢＳＲのためのＭＡＣ制御エレメントは、１つまたは複数のバイトであり得、ＭＡＣヘッダ内の論理チャネルＩＤ（ＬＣＩＤ）フィールドにおける予め定められた値によって識別され得る。
【００６１】
[0076]  基地局１０５−ｂは、Ｄ２Ｄ通信セッションのためのリソースを割り当てるために、ＵＥ １１５−ｂ−１に第４のメッセージ３３５（例えば、Ｄ２Ｄ ＳＡのための許可）を送信し得る。第４のメッセージ３３５は、少なくとも１つのＤ２Ｄ構成パラメータに従って送信され得る。例えば、第４のメッセージ３３５は、Ｄ２Ｄ ＲＮＴＩを用いてスクランブルされ得る。よって、ＵＥ １１５−ｂ−１において第４のメッセージ３３５を受信することは、Ｄ２Ｄ ＲＮＴＩを使用して第４のメッセージ３３５を復号することを含み得る。第４のメッセージ３３５は、Ｄ２Ｄ ＳＡ、または（例えば、ＭＡＣ制御シグナリングまたはＲＲＣシグナリングなどを使用して）Ｄ２Ｄ ＳＡが送信されるリソースの許可を含み得る。Ｄ２Ｄ ＳＡは、Ｄ２Ｄ ＳＰＳ起動メッセージであり得る。この場合には、ＵＥ １１５−ｂ−１は、Ｄ２Ｄ ＳＰＳ起動アクノレッジメントを送ることによって応答し得る。
【００６２】
[0077]  いくつかの場合、通信セッションのために割り当てられたリソースの量は、グループ３０２の優先度情報に基づいて、基地局１０５−ｂによって決定され得る。例えば、複数のグループがリソースを要求する場合、ＨＳＳ ２３０−ａから受信された優先度情報は、関連するリソースの割り振りを決定するために使用され得る。
【００６３】
[0078]  ＵＥ １１５−ｂ−１は次に、Ｄ２Ｄ通信セッションのために割り当てられたリソースを介してＤ２Ｄデータ送信３４０を送り得る。Ｄ２Ｄデータ送信３４０は、ＵＥ １１５−ｂ−２のようなグループ内の他のＵＥ １１５によって受信され得る。
【００６４】
[0079]  いくつかの場合には、ＵＥ １１５−ｂ−２のようなグループ３０２の他のＵＥ １１５は、グループに送るためのＤ２Ｄデータを有し得る。ＵＥ １１５−ｂ−２は、基地局１０５−ｂにＤ２Ｄ ＢＳＲを含むメッセージ３４５を送り得る。基地局１０５−ｂは、Ｄ２Ｄ通信セッションのためにＵＥ １１５−ｂ−２のためのリソースを割り振る、ＵＥ １１５−ｂ−２へのＤ２Ｄ ＳＡを含むメッセージ３５０を送り得る。いくつかの場合には、Ｄ２Ｄ通信セッションのためのＵＥ １１５−ｂ−１およびＵＥ １１５−ｂ−２へのリソースの割り振りは、ＨＳＳ ２３０−ａから受信されるＵＥ優先度情報に依存し得る。例えば、基地局１０５−ｂは、グループの優先度およびグループ３０２内のＵＥの関連する優先度に基づいて、ＵＥ １１５−ｂ−１およびＵＥ １１５−ｂ−２についての通信のためにリソース割り振りを決定し得る。ＵＥ １１５−ｂ−２は次に、Ｄ２Ｄ通信セッションのために割り当てられたリソースを介してＤ２Ｄデータ送信３５５を送信し得る。Ｄ２Ｄデータ送信３５５は、ＵＥ １１５−ｂ−１のようなグループ内の他のＵＥ １１５によって受信され得る。
【００６５】
[0080]  いくつかの場合には、ＵＥ １１５−ｂ−１は、ＵＥがＤ２Ｄ通信セッションを終了することを望むことを指示する、基地局１０５−ｂへの第５のメッセージ３６０（例えば、Ｄ２Ｄ終了メッセージ）を送信し得る。他の場合には、ＵＥ １１５−ｂ−１は、基地局１０５−ｂから第２の基地局１０５へのハンドオーバ（図示されない）を行い得る。ＵＥ １１５−ｂ−１は、第２の基地局１０５との接続モードにある間、Ｄ２Ｄ通信セッションを継続し得る。基地局１０５−ｂは、Ｄ２Ｄセッションが中断または干渉なく継続し得ることを保証するために、第２の基地局１０５にＤ２Ｄ通信セッションのためのＲＲＣコンテキスト情報を送り得る。
【００６６】
[0081]  図５は、本開示の様々な態様に従った、ワイヤレスＤ２Ｄ通信のためのＵＥ １１５−ｃのブロック図５００を示す。ＵＥ １１５−ｃは、図１−２を参照して説明される、ＵＥ １１５の１つまたは複数の態様の例であり得る。ＵＥ １１５−ｃは、受信機５０５、Ｄ２Ｄ構成モジュール５１０、および／または送信機５１５を含み得る。ＵＥ １１５はまた、プロセッサを含み得る。これらのコンポーネントの各々は、互いに通信状態にあり得る。
【００６７】
[0082]  ＵＥ １１５−ｃのコンポーネントは、個別にまたは集合的に、ハードウェアで適用可能な機能のいくつかまたは全てを行うために適合された、１つまたは複数の特定用途向け集積回路（ＡＳＩＣ）を用いて実装され得る。代替的に、これらの機能は、１つまたは複数の集積回路上で１つまたは複数の他の処理ユニット（またはコア）によって行われ得る。他の例では、他のタイプの集積回路（例えば、構造化（structured）／プラットフォームＡＳＩＣ、フィールドプログラマブルゲートアレイ（ＦＰＧＡ）、および他のセミカスタムＩＣ）が使用され得、これらは、当該技術分野において既知の任意のやり方でプログラムされ得る。各ユニットの機能はまた、１つまたは複数の汎用あるいは特定用途向けのプロセッサによって実行されるようにフォーマットされ、メモリ内に組み入れられる命令を用いて全体的にあるいは部分的に実装され得る。
【００６８】
[0083]  受信機５０５は、様々な情報チャネル（例えば、制御チャネル、データチャネルなど）に関連付けられた、パケット、ユーザデータ、および／または制御情報のような情報を受信し得る。情報は、Ｄ２Ｄ構成モジュール５１０、およびＵＥ １１５−ｃの他のコンポーネントへと渡され得る。
【００６９】
[0084]  Ｄ２Ｄ構成モジュール５１０は、デバイスがＤ２Ｄ通信セッションを開始することを望むことを指示する、第１の基地局へのデバイスからの第１のメッセージを送信するように構成され得る。Ｄ２Ｄ構成モジュール５１０はまた、少なくとも１つのＤ２Ｄ構成パラメータを備える、第１の基地局からの第２のメッセージを受信するように構成され得る。Ｄ２Ｄ構成モジュール５１０はまた、第１の基地局に第３のメッセージを送信するように構成され、第３のメッセージは、Ｄ２Ｄ通信セッションのために送信すべきデータがあることを指示する。Ｄ２Ｄ構成モジュール５１０はまた、少なくとも１つのＤ２Ｄ構成パラメータに従って送信される、第１の基地局からの第４のメッセージを受信するように構成され得る。Ｄ２Ｄ構成モジュールは、受信機５０５および送信機５１５と連携してＤ２Ｄ構成メッセージを送信および受信するように構成され得る。
【００７０】
[0085]  送信機５１５は、ＵＥ １１５−ｃの他のコンポーネントから受信された１つまたは複数の信号を送信し得る。いくつかの例では、送信機５１５は、トランシーバモジュール内に受信機５０５と一緒に配置され得る。送信機５１５は、単一のアンテナを含み得るか、または複数のアンテナを含み得る。
【００７１】
[0086]  図６は、本開示の様々な態様に従った、ワイヤレス通信のためのＵＥ １１５−ｄのブロック図６００を示す。ＵＥ １１５−ｄは、図１−３を参照して説明される、ＵＥ １１５の１つまたは複数の態様の例であり得る。ＵＥ １１５−ｄは、受信機５０５−ａ、Ｄ２Ｄ構成モジュール５１０−ａ、および／または送信機５１５−ａを含み得る。ＵＥ １１５−ｄはまた、プロセッサを含み得る。これらのコンポーネントの各々は、互いに通信状態にあり得る。Ｄ２Ｄ構成モジュール５１０−ａはまた、開始モジュール６０５、構成パラメータモジュール６１０、およびＢＳＲモジュール６１５を含み得る。
【００７２】
[0087]  ＵＥ １１５−ｄのコンポーネントは、個別にまたは集合的に、ハードウェアで適用可能な機能のいくつかまたは全てを行うために適合された、１つまたは複数のＡＳＩＣを用いて実装され得る。代替的に、これらの機能は、１つまたは複数の集積回路上で１つまたは複数の他の処理ユニット（またはコア）によって行われ得る。他の例では、他のタイプの集積回路（例えば、構造化／プラットフォームＡＳＩＣ、ＦＰＧＡ、および他のセミカスタムＩＣ）が使用され得、これらは、当該技術分野において既知の任意のやり方でプログラムされ得る。各ユニットの機能はまた、１つまたは複数の汎用あるいは特定用途向けのプロセッサによって実行されるようにフォーマットされ、メモリ内に組み入れられる命令を用いて全体的にあるいは部分的に実装され得る。
【００７３】
[0088]  受信機５０５−ａは、Ｄ２Ｄ構成モジュール５１０−ａ、およびＵＥ １１５−ｄの他のコンポーネントに渡され得る情報を受信し得る。Ｄ２Ｄ構成モジュール５１０−ａは、図３を参照して上述された動作を行うように構成され得る。送信機５１５−ａは、ＵＥ １１５−ｄの他のコンポーネントから受信された１つまたは複数の信号を送信し得る。
【００７４】
[0089]  開始モジュール６０５は、デバイスがＤ２Ｄ通信セッションを開始することを望むことを指示する、第１の基地局へのデバイスからの第１のメッセージを送信するように構成され得る。いくつかの例では、第１のメッセージはグループＩＤコードを備える。１つの例では、第１のメッセージは、無線リソース制御（ＲＲＣ）メッセージであり得る。いくつかの例では、第１のメッセージの送信は、ＵＥ １１５−ｄにおけるＤ２Ｄ通信モードの選択に応答し得る。
【００７５】
[0090]  構成パラメータモジュール６１０は、少なくとも１つのＤ２Ｄ構成パラメータを備える、第１の基地局からの第２のメッセージを受信するように構成され得る。いくつかの例では、少なくとも１つのＤ２Ｄ構成パラメータは、Ｄ２Ｄ ＲＮＴＩを備える。いくつかの例では、少なくとも１つのＤ２Ｄ構成パラメータは、Ｄ２Ｄ ＳＰＳ ＲＮＴＩを備える。他の例では、少なくとも１つのＤ２Ｄ構成パラメータは、Ｄ２Ｄ ＲＲＣ構成パラメータを備える。構成パラメータモジュール６１０はまた、グループＩＤおよび／またはＲＮＴＩを備えるＭＭＥまたは第１の基地局からのページングメッセージを受信するように構成され得、ここにおいて、ページングメッセージは、ＵＥ１１５−ｄがＤ２Ｄ ＳＡおよびデータ送信のためのリソース許可を受信することを開始し得る指示であり得る。
【００７６】
[0091]  ＢＳＲモジュール６１５は、第１の基地局に第３のメッセージを送信するように構成され得、第３のメッセージは、Ｄ２Ｄ通信セッションのために送信すべきデータがあることを指示する。いくつかの例では、第３のメッセージはさらに、少なくとも１つのグループＩＤコードを備える。いくつかの例では、送信すべきデータがあるとの指示は、ＢＳＲである。
【００７７】
[0092]  デスクランブリングモジュール６２０は、第１の基地局から受信された第４のメッセージをデスクランブルするように構成され得る。いくつかの例では、第４のメッセージは、Ｄ２Ｄ ＲＮＴＩを用いてスクランブルされ得る。このような場合には、受信された第４のメッセージは、Ｄ２Ｄ ＲＮＴＩを使用してデスクランブルされ得る。メッセージをスクランブルするためのＤ２Ｄ ＲＮＴＩの使用は、メッセージがＤ２Ｄ ＳＡおよび／またはＤ２Ｄデータ送信のためのリソースの許可を含むことをデバイス１１５に指示し得る。
【００７８】
[0093]  図７は、本開示の様々な態様に従った、ワイヤレスＤ２Ｄ通信のためのＤ２Ｄ構成モジュール５１０−ｂのブロック図７００を示す。Ｄ２Ｄ構成モジュール５１０−ｂは、図５または６を参照して説明されるＤ２Ｄ構成モジュール５１０の１つまたは複数の態様の例であり得る。Ｄ２Ｄ構成モジュール５１０−ｂは、開始モジュール６０５−ａ、構成パラメータモジュール６１０−ａ、ＢＳＲモジュール６１５−ａ、およびデスクランブリングモジュール６２０−ａを含み得る。これらのモジュールの各々は、図６を参照して上述された機能を行い得る。Ｄ２Ｄ構成モジュール５１０−ｂはまた、終了モジュール７０５、グループＩＤモジュール７１０、およびＳＰＳ起動モジュール７１５を含み得る。
【００７９】
[0094]  Ｄ２Ｄ構成モジュール５１０−ｂのコンポーネントは、個別にまたは集合的に、ハードウェアで適用可能な機能のいくつかまたは全てを行うために適合された、１つまたは複数のＡＳＩＣを用いて実装され得る。代替的に、これらの機能は、１つまたは複数の集積回路上で１つまたは複数の他の処理ユニット（またはコア）によって行われ得る。他の例では、他のタイプの集積回路（例えば、構造化／プラットフォームＡＳＩＣ、ＦＰＧＡ、および他のセミカスタムＩＣ）が使用され得、これらは、当該技術分野において既知の任意のやり方でプログラムされ得る。各ユニットの機能はまた、１つまたは複数の汎用あるいは特定用途向けのプロセッサによって実行されるようにフォーマットされ、メモリ内に組み入れられる命令を用いて全体的にあるいは部分的に実装され得る。
【００８０】
[0095]  終了モジュール７０５は、デバイスがＤ２Ｄ通信セッションを終了することを望むことを指示する、第１の基地局への第５のメッセージを送信するように構成され得る。いくつかの場合には、これは、Ｄ２Ｄセッションを終了するためにデバイス１１５上でユーザが選択を行うことに応答し得る。
【００８１】
[0096]  グループＩＤモジュール７１０は、Ｄ２Ｄ通信セッションに従事する１つまたは複数のデバイスのセットを識別する、第１の基地局への少なくとも１つのグループＩＤコードを送るように構成され得る。グループＩＤモジュール７１０は、インデックスのセットにグループＩＤコードのセットをマッピングするように構成され得、ここにおいて、各グループＩＤコードは、異なるインデックスにマッピングされる。いくつかの例では各グループＩＤコードは、異なるインデックスにマッピングされ得る。いくつかの場合には、１つまたは複数のグループＩＤコードは、第１の開始メッセージを用いて送られ得る。いくつかの場合には、１つまたは複数のグループＩＤコードは、ＢＳＲを用いて送られ得る。
【００８２】
[0097]  ＳＰＳ起動モジュール７１５は、Ｄ２Ｄ ＳＰＳ起動メッセージを受信するように構成され得る。Ｄ２Ｄ ＳＰＳ起動メッセージは、リソースのセットがいくつかのサブフレームまたはフレームに渡って続く時間の期間の間、Ｄ２Ｄ送信に使用可能であり得るとの指示であり得る。この時間の期間の後に、リソース許可は満了するか、または自動的にデアクティベートされ得る。いくつかの場合には、ＵＥ １１５はまた、Ｄ２Ｄ ＳＰＳ起動停止メッセージを受信し得る。Ｄ２Ｄ ＳＰＳ起動メッセージを受信した後、ＳＰＳ起動モジュール７１５は、Ｄ２Ｄ ＳＰＳ起動アクノレッジメントを送信するように構成され得る。
【００８３】
[0098]  図８は、本開示の様々な態様に従った、ワイヤレスＤ２Ｄ通信のためのシステム８００の図を示す。システム８００はＵＥ １１５−ｅを含み得、それは、図１−３を参照するＵＥ １１５の例であり得る。ＵＥ １１５−ｅは一般に、通信を送信するためのコンポーネントおよび通信を受信するためのコンポーネントを含む、双方向ボイスおよびデータ通信のためのコンポーネントを含み得る。ＵＥ １１５−ｅはまた、図１−２を参照する基地局１０５の例であり得る基地局１０５−ｃ、および／または図１−３を参照するＵＥ １１５の例であり得る異なるＵＥ １１５−ｆとのワイヤレス通信に従事し得る。ＵＥ １１５−ｅはまた、図５−７を参照するＤ２Ｄ構成モジュール５１０の例であり得るＤ２Ｄ構成モジュール８１０を含み得る。
【００８４】
[0099]  ＵＥ １１５−ｅは、アンテナ８４０、トランシーバモジュール８３５、プロセッサモジュール８０５、およびメモリ８１５（ソフトウェア（ＳＷ）８２０を含む）を含み得、これらの各々は、直接的にまたは間接的に、互いに通信し得る（例えば、１つまたは複数のバス８４５を介して）。トランシーバモジュール８３５は、上述されるように、１つまたは複数のネットワークと、アンテナ８４０並びに／あるいは１つまたは複数の有線またはワイヤレスリンクを介して、双方向で通信するように構成され得る。例えば、トランシーバモジュール８３５は、基地局１０５と双方向で通信するように構成され得る。トランシーバモジュール８３５は、パケットを変調し、変調されたパケットを送信のためにアンテナ８４０に提供し、アンテナ８４０から受信されたパケットを復調するように構成されたモデムを含み得る。ＵＥ １１５−ｅは、単一のアンテナ８４０を含み得るが、ＵＥ １１５はまた、複数のワイヤレス送信を同時に送信および／または受信することができる複数のアンテナ８４０を有し得る。トランシーバモジュール８３５はまた、１つまたは複数の基地局１０５と同時に通信可能であり得る。
【００８５】
[0100]  メモリ８１５は、ランダムアクセスメモリ（ＲＡＭ）および読取専用メモリ（ＲＯＭ）を含み得る。メモリ８１５は、実行されたとき、プロセッサモジュール８０５に、本明細書で説明される様々な機能（例えば、Ｄ２Ｄ通信セッションを開始し、Ｄ２Ｄ ＢＳＲを送信し、Ｄ２Ｄ ＳＡを受信し、Ｄ２Ｄ通信セッションを終了するなど）を行わせるように構成される命令を含む、コンピュータ読取可能なコンピュータ実行可能ソフトウェア／ファームウェアコード８２０を記憶し得る。代替的に、ソフトウェア／ファームウェアコード８２０は、プロセッサモジュール８０５によって直接的に実行可能でない場合があるが、（例えば、コンパイルおよび実行されたとき）コンピュータに、本明細書で説明された機能を行わせるように構成され得る。プロセッサモジュール８０５は、インテリジェントハードウェアデバイス、例えば、中央処理ユニット（ＣＰＵ）、マイクロコントローラ、ＡＳＩＣなどを含み得る。
【００８６】
[0101]  モード選択モジュール８２５は、ユーザがＤ２Ｄ通信モードを選択しているかどうかを決定するように構成され得る。これは、ＵＥ １１５−ｅ上のアプリケーションとのユーザインタラクションに応答し得る。モード選択モジュール８２５はまた、ユーザがＤ２Ｄ通信セッションを終了することを選択しているかどうかを決定するように構成され得る。この場合、選択は、基地局１０５−ｃにＤ２Ｄセッション終了メッセージを送るための指示であり得る。
【００８７】
[0102]  ハンドオーバモジュール８３０は、１つの基地局１０５から別の基地局１０５へのハンドオーバを行うように構成され得る。いくつかの場合には、ハンドオーバは、ＵＥ １１５−ｅがＤ２Ｄ通信セッションに従事している間に発生し得る。この場合、ハンドオーバは、ソース基地局がターゲット基地局にＤ２Ｄ ＲＲＣコンテキストおよび／またはアクティブなＤ２Ｄセッションに関連した他の情報を通信することを含み得る。
【００８８】
[0103]  図９は、本開示の様々な態様に従った、ワイヤレスＤ２Ｄ通信をサポートするための基地局１０５−ｄのブロック図９００を示す。基地局１０５−ｄは、図１−３を参照して説明される、基地局１０５の１つまたは複数の態様の例であり得る。基地局１０５−ｄは、基地局トランシーバ９０５、Ｄ２Ｄ通信管理モジュール９１０、および／または基地局ネットワークインターフェース９１５を含み得る。デバイス１０５−ｄはまた、プロセッサ（図示されない）を含み得る。これらのコンポーネントの各々は、互いに通信状態にあり得る。
【００８９】
[0104]  基地局トランシーバモジュール９０５は、図１および／または図２を参照して説明されるワイヤレス通信システム１００および／または２００のようなワイヤレス通信システムの１つまたは複数の通信リンクを介して、様々なタイプのデータおよび／または制御信号（すなわち、送信）を送信および受信するために使用され得る。いくつか例では、基地局トランシーバモジュール９０５は、Ｄ２Ｄ開始メッセージ、Ｄ２Ｄ構成応答メッセージ、ＢＳＲメッセージ、Ｄ２Ｄ ＳＡメッセージ、Ｄ２Ｄセッション終了メッセージなどのような、Ｄ２Ｄ通信セッションのためのリソースを開始および要求することに関連した、ＵＥ １１５とのメッセージングを通信するように動作可能であり得る。基地局トランシーバモジュール９０５は、Ｄ２Ｄ通信管理モジュール９１０に、Ｄ２Ｄ通信セッションについてのＵＥメッセージングに関連した情報を渡し得る。
【００９０】
[0105]  基地局ネットワークインターフェース９１５は、上述されるようなＤ２Ｄセッションのための認証および／または承認メッセージングに関連したＭＭＥおよび／またはＨＳＳからのメッセージングのような、Ｄ２Ｄ通信セッションに関連したネットワークメッセージングを送るおよび受信するように動作可能であり得る。基地局ネットワークインターフェース９１５は、Ｄ２Ｄ通信管理モジュール９１０に、通信されたＤ２Ｄネットワークメッセージング（例えば、Ｄ２Ｄ認証および承認情報など）に関連した情報を渡し得る。
【００９１】
[0106]  Ｄ２Ｄ通信管理モジュール９１０は、基地局トランシーバモジュール９０５および基地局ネットワークインターフェース９１５から、Ｄ２Ｄ通信セッションに関連した情報を受信し得る。Ｄ２Ｄ通信管理モジュール９１０は、（例えば、各グループがグループＩＤコードなどに関連付けられる）グループについてのＤ２Ｄ通信セッションのためのグループインデックスを識別すること、Ｄ２Ｄ通信セッション情報を（例えば、基地局トランシーバ９０５を介して）ブロードキャストすること、アクティブなグループに関連付けられたＵＥをページングすること、優先度情報に基づいてＤ２Ｄ通信セッションのためのおよびＤ２Ｄ通信セッション内の送信ＵＥのためのリソース割り振りを決定すること、などのような、Ｄ２Ｄ通信セッションの管理のための動作を行い得る。Ｄ２Ｄ通信管理モジュール９１０は、Ｄ２Ｄ通信セッションのためにリソースを要求するＵＥへリソース許可（例えばＤ２Ｄ ＳＡなど）を（例えば、基地局トランシーバ９０５を介して）送り得る。
【００９２】
[0107]  図１０は、本開示の様々な態様に従った、ワイヤレスＤ２Ｄ通信をサポートするための基地局１０５−ｅのブロック図１０００を示す。基地局１０５−ｅは、図１−３および９を参照して説明される、基地局１０５の１つまたは複数の例であり得る。基地局１０５−ｅは、基地局トランシーバ９０５−ａ、Ｄ２Ｄ通信管理モジュール９１０−ａ、および／または基地局ネットワークインターフェース９１５−ａを含み得る。基地局１０５−ｅはまた、プロセッサ（図示されない）を含み得る。これらのコンポーネントの各々は、互いに通信状態にあり得る。
【００９３】
[0108]  基地局トランシーバ９０５−ａおよび基地局ネットワークインターフェース９１５−ａは、図９の基地局トランシーバ９０５および基地局ネットワークインターフェース９１５を参照して上述される特徴および機能を実行し得る。
【００９４】
[0109]  Ｄ２Ｄ通信管理モジュール９１０−ａは、図９のＤ２Ｄ通信管理モジュール９１０を参照して上述される特徴および機能を実行し得る。Ｄ２Ｄ通信管理モジュール９１０−ａは、グループインデックス識別モジュール１００５、Ｄ２Ｄ認証マネージャ１０１０、Ｄ２Ｄ優先度マネージャ１０１５、およびＤ２Ｄグループ情報モジュール１０２０を含み得る。これらのコンポーネントの各々は、互いに通信状態にあり得る。
【００９５】
[0110]  グループインデックス識別モジュール１００５は、（例えば、各グループがグループＩＤコードなどに関連付けられる）グループについてのＤ２Ｄ通信セッションのためのグループインデックスを識別し得る。いくつかの例では、グループインデックス識別モジュール１００５は、Ｄ２Ｄ通信セッションのためのグループインデックスを割り当て得る。例えば、グループインデックス識別モジュール１００５は、グループインデックスのセットを維持し得、またグループＩＤコードに関連付けられたＤ２Ｄ通信セッションを開始するためのＵＥ １１５からの要求を受信すると、Ｄ２Ｄ通信セッションのために現在使用されていないグループインデックスを割り当て得る。他の例では、グループインデックス識別モジュール１００５はＤ２Ｄ通信セッションの認証および承認のために（例えば、基地局ネットワークインターフェース９１５−ａを介して）交換されたネットワークメッセージングに基づいてグループインデックスを識別し得る。例えば、グループインデックスは、ＨＳＳにおいてグループＩＤコードに静的または準静的に割り当てられ得、ＨＳＳはＤ２Ｄ通信セッションに関連付けられたＤ２Ｄ承認メッセージにおいてＤ２Ｄ通信セッションのためのグループインデックスを提供し得る。さらに他の例では、グループインデックス識別モジュール１００５は、Ｄ２Ｄ通信セッションを開始するＵＥ １１５からのメッセージ内のグループインデックスを識別し得る。
【００９６】
[0111]  Ｄ２Ｄ認証マネージャ１０１０は、上述されるようにＤ２Ｄ通信セッションを認証および承認するためにメッセージングを（例えばＭＭＥおよび／またはＨＳＳなどと）交換し得る。いくつかの例では、ＭＭＥおよび／またはＨＳＳからの認証および／または承認メッセージングは、グループおよびＵＥ １１５の優先度情報（例えば、ＡＲＰなど）を含み得る。
【００９７】
[0112]  Ｄ２Ｄ優先度マネージャ１０１５は、通信セッションに関連付けられたグループの優先度情報（例えば、Ｄ２Ｄ認証マネージャ１０１０からの）に基づいて、Ｄ２Ｄ通信セッションのためのリソース割り振りを管理し得る。いくつかの例では、Ｄ２Ｄ優先度マネージャ１０１５は、グループの優先度およびグループ内の要求ＵＥ １１５の関連する優先度に基づいて、（例えば、Ｄ２Ｄ ＢＳＲメッセージなどを介して）Ｄ２Ｄ通信セッションのためのリソースを要求するＵＥ １１５へのリソース割り振りを管理し得る。
【００９８】
[0113]  Ｄ２Ｄグループ情報モジュール１０２０は、アクティブなＤ２Ｄ通信セッションに関連した情報の配信を管理し得る。例えば、Ｄ２Ｄグループ情報モジュール１０２０は、アクティブなＤ２Ｄ通信セッションに割り当てられたグループインデックスを含むシステム情報メッセージング（例えば、ＳＩＢなど）をブロードキャストし得る。追加的にまたは代替的に、Ｄ２Ｄグループ情報モジュール１０２０は、アクティブなＤ２Ｄ通信セッションを有するグループに関連付けられた他のＵＥ １１５に、（例えば、基地局トランシーバ９０５−ａを介して）ページングメッセージを送り得る。
【００９９】
[0114]  図１１は、本開示の様々な態様に従った、ワイヤレスＤ２Ｄ通信をサポートするための基地局１０５−ｆ（例えば、ｅＮＢの一部または全てを形成する基地局）のブロック図１１００を示す。いくつかの例では、基地局１０５−ｆは、図１−３、９および／または１０を参照して説明される基地局１０５の１つまたは複数の態様の例であり得る。基地局１０５−ｆは、図１−５、９および１０を参照して説明される、基地局および／または装置の特徴および機能の少なくともいくつかを、実施または容易にするように構成され得る。
【０１００】
[0115]  基地局１０５−ｆは、基地局プロセッサモジュール１１１０、基地局メモリモジュール１１２０（ソフトウェア／ファームウェア１１２５を含む）、少なくとも１つまたは複数の基地局トランシーバモジュール（基地局トランシーバモジュール１１５０によって表される）、少なくとも１つまたは複数の基地局アンテナ（基地局アンテナ１１５５によって表される）、および／またはＤ２Ｄ通信管理モジュール９１０−ｂを含み得る。基地局１０５−ｆはまた、基地局通信モジュール１１３０および／またはネットワーク通信モジュール１１４０のうちの１つまたは複数を含み得る。これらのモジュールの各々は、１つまたは複数のバス１１３５を介して、直接的または間接的に、互いに通信状態にありうる。
【０１０１】
[0116]  Ｄ２Ｄ通信管理モジュール９１０−ｂは、Ｄ２Ｄ通信セッションを開始するためにＵＥからのメッセージングを受信すること、Ｄ２Ｄ通信セッションについての認証、承認、および／または優先度情報に関連したネットワークエンティティ（例えば、ＭＭＥ、ＨＳＳなど）とのメッセージングを交換すること、Ｄ２Ｄ通信セッションに関連付けられたグループインデックスを（例えば、グループＩＤコードなどに基づいて）識別すること、グループおよび／またはＵＥ優先度に従ってＤ２Ｄ通信セッションのためのリソース割り振りを管理すること、およびアクティブなＤ２Ｄ通信セッションに関連した情報の配信を管理することに関連する、図１−５、９および１０を参照して上述される特徴および機能のいくつかまたは全てを実行および／または制御するように構成され得る。いくつかの例では、Ｄ２Ｄ通信管理モジュール９１０−ｂは、ソフトウェア／ファームウェアコード１１２５の一部であり得、また基地局プロセッサモジュール１１１０に本明細書で説明される様々な機能を行わせるように構成される命令を含み得る。Ｄ２Ｄ通信管理モジュール９１０−ｂは、図９および１０を参照して説明されるＤ２Ｄ通信管理モジュール１０１５の例であり得る。
【０１０２】
[0117]  基地局メモリモジュール１１２０は、ＲＡＭおよび／またはＲＯＭを含み得る。基地局メモリモジュール１１２０は、実行されたとき、基地局プロセッサモジュール１１１０に、本明細書で説明される様々な機能を行わせるように構成された命令を含むコンピュータ読取可能なコンピュータ実行可能ソフトウェア／ファームウェアコード１１２５を記憶し得る。代替的に、コンピュータ読取可能なコンピュータ実行可能ソフトウェア／ファームウェアコード１１２５は、基地局プロセッサモジュール１１１０によって直接的に実行可能でない場合があるが、（例えば、コンパイルおよび実行されたとき）基地局プロセッサモジュール１１１０に、本明細書で説明された様々な機能を行わせるように構成され得る。
【０１０３】
[0118]  基地局プロセッサモジュール１１１０は、例えば、ＣＰＵ、マイクロコントローラ、ＡＳＩＣなどのインテリジェントハードウェアデバイスを含み得る。基地局プロセッサモジュール１１１０は、基地局トランシーバモジュール１１５０、基地局通信モジュール１１３０、および／またはネットワーク通信モジュール１１４０を通じて受信される情報を処理し得る。基地局プロセッサモジュール１１１０はまた、１つまたは複数の他の基地局１０５−ｍおよび１０５−ｎへの送信のために基地局通信モジュール１１３０に、および／またはコアネットワーク１３０−ｂへの送信のためにネットワーク通信モジュール１１４０に、送られるべき情報を処理し得、それは、図１または図２を参照して説明されるコアネットワーク１３０の１つまたは複数の態様の例であり得る。
【０１０４】
[0119]  基地局トランシーバモジュール１１５０は、パケットを変調し、変調されたパケットを送信のために基地局アンテナ１１５５に提供し、基地局アンテナ１１５５から受信されたパケットを復調するように構成されたモデムを含み得る。基地局トランシーバモジュール１１５０は、いくつかの例では、１つまたは複数の基地局送信機モジュールおよび１つまたは複数の別個の基地局受信機モジュールとして実装され得る。基地局トランシーバモジュール１１５０は、図１−３および６−８を参照して説明されるＵＥ １１５のうちの１つまたは複数のような、１つまたは複数のＵＥまたは装置と、アンテナ１１５５を介して双方向で通信するように構成され得る。基地局１０５−ｆは、例えば、複数の基地局アンテナ１１５５（例えば、アンテナアレイ）を含み得る。
【０１０５】
[0120]  図１２は、本開示の様々な態様に従った、ワイヤレスＤ２Ｄ通信のための方法を図示するフローチャート１２００を示す。フローチャート１２００の機能は、図１−８を参照して説明されるような、ＵＥ（すなわち、デバイス１１５）またはそのコンポーネントによって実装され得る。特定の例では、フローチャート１２００のブロックは、図５−８を参照して、Ｄ２Ｄ構成モジュール５１０、８１０によって行われ得る。
【０１０６】
[0121]  ブロック１２０５において、デバイス１１５は、デバイスがＤ２Ｄ通信セッションを開始することを望むことを指示する、第１の基地局へのデバイスからの第１のメッセージを送信し得る。いくつかの例では、第１のメッセージは、グループＩＤコードを備える。１つの例では、第１のメッセージは、ＲＲＣメッセージであり得る。いくつかの例では、第１のメッセージの送信は、デバイス１１５におけるＤ２Ｄ通信モードの選択に応答し得る。特定の例では、ブロック１２０５の機能は、図６−７を参照して上述されるような、開始モジュール６０５によって行われ得る。
【０１０７】
[0122]  ブロック１２１０において、デバイス１１５は、少なくとも１つのＤ２Ｄ構成パラメータを備える、第１の基地局からの第２のメッセージを受信し得る。第２のメッセージは、Ｄ２Ｄ ＲＮＴＩを含み得る。いくつかの例では、Ｄ２Ｄ構成パラメータは、Ｄ２Ｄ ＳＰＳ ＲＮＴＩを含む。第２のメッセージはまた、他のＲＲＣ構成パラメータを含み得る。特定の例では、ブロック１２０１０ の機能は、図６−７を参照して上述されるような、構成パラメータモジュール６１０によって行われ得る。
【０１０８】
[0123]  ブロック１２１５において、デバイス１２１５は、第１の基地局に第３のメッセージを送信し得、第３のメッセージは、Ｄ２Ｄ通信セッションのために送信すべきデータがあることを指示する。第３のメッセージは、デバイス１１５がＤ２Ｄ通信セッションのために送信するためのデータを有することを指示し得る。いくつかの例では、送信すべきデータがあるという指示は、Ｄ２Ｄ通信セッションのためのＢＳＲである。いくつかの場合には、グループＩＤコード、グループＩＤコードインデックス、またはその両方は、第３のメッセージを用いて送信される。特定の例では、ブロック１２１５の機能は、図６−７を参照して上述されるような、ＢＳＲモジュール６１５によって行われ得る。
【０１０９】
[0124]  ブロック１２２０において、デバイス１１５は、少なくとも１つのＤ２Ｄ構成パラメータに従って送信される、第１の基地局からの第４のメッセージを受信し得る。例えば、第４のメッセージは、Ｄ２Ｄ ＲＮＴＩを用いてスクランブルされ得る。いくつかの場合には、第４のメッセージを受信することは、Ｄ２Ｄ ＲＮＴＩを使用して第４のメッセージをデスクランブルすることを備える。メッセージをスクランブルするためのＤ２Ｄ ＲＮＴＩの使用は、メッセージがＤ２Ｄ ＳＡおよび／またはＤ２Ｄデータ送信のためのリソースの許可を含むことをデバイス１１５に指示し得る。特定の例では、ブロック１２２０の機能は、図６−７を参照して上述されるような、デスクランブリングモジュール６２０によって行われ得る。
【０１１０】
[0125]  フローチャート１２００の方法は単に１つの実装に過ぎず、方法の動作およびステップは、再配置されるかまたはそうでなければ他の実装が可能になるように変更され得ることに留意されたい。
【０１１１】
[0126]  図１３は、本開示の様々な態様に従った、ワイヤレス通信のための方法を図示するフローチャート１３００を示す。フローチャート１３００の機能は、図１−８を参照して説明されるような、ＵＥ １１５またはそのコンポーネントによって実装され得る。特定の例では、フローチャート１３００のブロックは、図５−８を参照して、Ｄ２Ｄ構成モジュール５１０、８１０によって行われ得る。フローチャート１３００において説明される方法はまた、図１２のフローチャート１２００の態様を組み込み得る。
【０１１２】
[0127]  ブロック１３０５において、デバイス１１５は、デバイスがＤ２Ｄ通信セッションを開始することを望むことを指示する、第１の基地局へのデバイスからの第１のメッセージを送信し得る。いくつかの場合には、第１のメッセージは、Ｄ２Ｄ通信に従事し得るデバイスのグループのためのグループＩＤコードを含み得るが、他の場合には、グループＩＤコードは、ブロック１３２０において示されるような第３のメッセージ内で、または示されていない別のメッセージにおいて送られ得る。いくつかの場合には、１より多いグループＩＤコードが送られる。グループＩＤコードは、どのＤ２Ｄグループが将来のＤ２Ｄメッセージの対象であるかを識別するために使用され得る。例えば、公共の治安維持チームは、チームのメンバーによって使用される各デバイスを予め定められたグループＩＤに関連付けし得る。特定の例では、ブロック１３０５の機能は、図６−７を参照して上述されるような、開始モジュール６０５によって実行され得る。
【０１１３】
[0128]  ブロック１３１０において、デバイス１１５は、少なくとも１つのＤ２Ｄ構成パラメータを備える、第１の基地局からの第２のメッセージを受信し得る。第２のメッセージは、Ｄ２Ｄ ＲＮＴＩを含み得る。いくつかの例では、Ｄ２Ｄ構成パラメータは、Ｄ２Ｄ ＳＰＳ ＲＮＴＩを含む。第２のメッセージはまた、他のＲＲＣ構成パラメータを含み得る。特定の例では、ブロック１３１０の機能は、図６−７を参照して上述されるような、構成パラメータモジュール６１０によって実行され得る。
【０１１４】
[0129]  ブロック１３１５では、デバイス１１５は、インデックスのセットにグループＩＤコードのセットをマッピングし得、ここにおいて、各グループＩＤコードは、異なるインデックスにマッピングされる。例えば、デバイスのユーザは、１より多い公共の治安維持チームとのＤ２Ｄ通信に従事し得、各チームは、それらの通信を区別するために一意の予め定められたグループＩＤコードを有し得る。特定の例では、ブロック１３１５の機能は、図６−７を参照して上述されるような、グループＩＤモジュール７１０によって行われ得る。
【０１１５】
[0130]  ブロック１３２０において、デバイス１１５は、第１の基地局に第３のメッセージを送信し得、第３のメッセージは、Ｄ２Ｄ通信セッションのためのＢＳＲ、グループＩＤコードのセット、および関連するインデックスを備える。特定の例では、ブロック１３２０の機能は、図６−７を参照して上述されるような、ＢＳＲモジュール６１５によって実行され得る。
【０１１６】
[0131]  ブロック１３２５において、デバイス１１５は、少なくとも１つのＤ２Ｄ構成パラメータおよびグループＩＤインデックスに基づいて送信される、第１の基地局からの第４のメッセージを受信し得る。例えば、第４のメッセージは、Ｄ２Ｄ ＲＮＴＩを用いてスクランブルされ得、グループインデックスは、メッセージが向けられているグループを識別するように使用され得る。特定の例では、ブロック１３２５の機能は、図６−７を参照して上述されるような、デスクランブリングモジュール６２０によって行われ得る。
【０１１７】
[0132]  フローチャート１３００の方法は単に１つの実装に過ぎず、方法の動作およびステップは、再配置されるかまたはそうでなければ他の実装が可能になるように変更され得ることに留意されたい。
【０１１８】
[0133]  図１４は、本開示の様々な態様に従った、ワイヤレスＤ２Ｄ通信のための方法を図示するフローチャート１４００を示す。フローチャート１４００の機能は、図１−４、９−１１を参照して説明されるような、基地局１０５（例えば、ｅＮＢ）またはそのコンポーネントによって実装され得る。特定の例では、これらの特徴を行うためのＤ２Ｄ通信管理モジュール９１０によって、基地局１０５のコンポーネントが制御され得るか、フローチャート１４００のブロックが行われ得る。
【０１１９】
[0134]  ブロック１４０５において、第１のデバイスがＤ２Ｄ通信セッションを開始することを望むことを指示する、第１のメッセージが基地局１０５において受信され得る。いくつかの場合には、第１のメッセージは、Ｄ２Ｄ通信セッションのためのＤ２Ｄ通信に従事し得るデバイスのグループのためのグループＩＤコードを含み得る。
【０１２０】
[0135]  ブロック１４１０において、基地局は、Ｄ２Ｄ通信セッションに関連付けられた少なくとも１つのＤ２Ｄ構成パラメータを含む、第１のデバイスへの第２のメッセージを送信し得る。少なくとも１つのＤ２Ｄ構成パラメータは、Ｄ２Ｄ通信セッションのための割り当てられたグループインデックス、Ｄ２Ｄ ＲＮＴＩ、またはＤ２Ｄ通信セッションのためのＤ２Ｄ ＳＰＳ ＲＮＴＩなどを含み得る。
【０１２１】
[0136]  ブロック１４１５において、基地局１０５は、Ｄ２Ｄ通信セッションのために送信すべきデータがあることを指示する、第１のデバイスからの第３のメッセージを受信し得る。第３のメッセージは、例えばＤ２Ｄ ＢＳＲを含み得、リソースがグループインデックスによって要求されるＤ２Ｄ通信セッションを識別し得る。
【０１２２】
[0137]  ブロック１４２０において、基地局１０５は、少なくとも１つのＤ２Ｄ構成パラメータに従って、第１の基地局に第４のメッセージを送信し得る。例えば、第４のメッセージは、Ｄ２Ｄ ＳＡ、Ｄ２Ｄ ＳＰＳ起動メッセージ、またはＤ２Ｄ ＳＡが送信されるリソースの許可であり得、Ｄ２Ｄ ＲＮＴＩまたはＤ２Ｄ ＳＰＳ ＲＮＴＩを使用してスクランブルされ得る。
【０１２３】
[0138]  図１５は、本開示の様々な態様に従った、ワイヤレスＤ２Ｄ通信のための方法を図示するフローチャート１５００を示す。フローチャート１５００の機能は、図１−４、９−１１を参照して説明されるような、基地局１０５（例えば、ｅＮＢ）またはそのコンポーネントによって実施され得る。特定の例では、図９−１１のＤ２Ｄ通信管理モジュール９１０は、フローチャート１５００のブロックを実行し得るか、またはこれらの特徴を実行するために基地局１０５のコンポーネントを制御し得る。
【０１２４】
[0139]  ブロック１５０５において、基地局１０５は、第１のＵＥがＤ２Ｄ通信セッションを開始することを望むことを指示する、第１のＵＥからのメッセージを受信し得る。いくつかの場合には、第１のメッセージは、Ｄ２Ｄ通信セッションのためのＤ２Ｄ通信に従事し得るデバイスのグループのためのグループＩＤコードを含み得る。
【０１２５】
[0140]  ブロック１５１０において、基地局１０５は、Ｄ２Ｄ通信セッションを認証および承認するためのネットワークエンティティ（例えば、ＭＭＥ、ＨＳＳなど）とメッセージングを交換し得る。例えば、基地局１０５は、ＭＭＥおよび／またはＨＳＳにＤ２Ｄセッション要求メッセージを送り得る。基地局１０５は、Ｄ２Ｄ通信セッションが認証および承認されることを指示する、ＭＭＥおよび／またはＨＳＳからのＤ２Ｄ承認メッセージを受信し得る。ＭＭＥおよび／またはＨＳＳからのメッセージングはまた、グループのＵＥおよび／またはＤ２Ｄ通信セッションに関連付けられたグループについての優先度情報（例えば、ＡＲＰなど）を提供し得る。
【０１２６】
[0141]  ブロック１５１５において、基地局１０５は、Ｄ２Ｄ通信セッションのためのグループインデックスを識別し得る。いくつかの例では、基地局１０５は、Ｄ２Ｄ通信セッションのためのグループインデックスを割り当て得る。例えば、基地局１０５は、グループインデックスのセットを維持し得、またグループＩＤコードに関連付けられたＤ２Ｄ通信セッションを開始するためのＵＥ １１５からの要求を受信すると、Ｄ２Ｄ通信セッションのために現在使用されていないグループインデックスを割り当て得る。他の例では、基地局１０５は、ブロック１５１０において交換されたネットワークメッセージングに基づいてグループインデックスを識別し得る。例えば、グループインデックスは、ＨＳＳにおいてグループＩＤコードに静的または準静的に割り当てられ得、ＨＳＳはＤ２Ｄ通信セッションに関連付けられたＤ２Ｄ承認メッセージにおいてＤ２Ｄ通信セッションのためのグループインデックスを提供し得る。さらに他の例では、基地局１０５は、Ｄ２Ｄ通信セッションを開始する、ＵＥ １１５からのメッセージ内のグループインデックスを識別し得る。
【０１２７】
[0142]  ブロック１５２０において、基地局１０５は、Ｄ２Ｄ通信セッションに関連付けられたグループインデックスおよびアクティブなＤ２Ｄ通信セッションをグループ内のＵＥに報告し得る。例えば、基地局１０５は、セッションを開始したＵＥにＤ２Ｄ構成応答を送り得る。基地局１０５は、システム情報メッセージングおよび／またはページングメッセージを通してグループの他のＵＥに報告し得る。
【０１２８】
[0143]  ブロック１５２５において、基地局１０５は、Ｄ２Ｄ ＢＳＲがアクティブなＤ２Ｄ通信セッションのために受信されるかどうかを決定し得る。Ｄ２Ｄ ＢＳＲが受信される場合、基地局は、ブロック１５３０において、（例えば、ブロック１５１０におけるＭＭＥ／ＨＳＳから受信された）グループおよび／またはＵＥ優先度情報に従って、Ｄ２Ｄ通信セッションのためにＵＥのためのリソースを割り振り得る。基地局１０５は、ブロック１５３５において、Ｄ２Ｄ ＳＡにおいてＵＥ １１５へのリソース割り振りを通信し得る。
【０１２９】
[0144]  添付の図面に関して上述された詳細な説明は、例を説明しており、実装され得るまたは請求項の範囲内にある例のみを表すものではない。この説明において使用される場合、「例」および「例示的な」という用語は、「例、実例、または例示を提供する」ことを意味し、「好ましい」または「他の実施形態よりも有利である」ことを意味するものではない。詳細な説明は、説明された技法の理解を提供する目的で、特定の詳細を含む。しかしながら、これらの技法は、これらの特定の詳細なしで実施され得る。いくつかの事例では、周知の構造およびデバイスは、説明された例の概念を曖昧にするのを避けるために、ブロック図形式で示される。
【０１３０】
[0145]  情報および信号は、様々な異なる技術および技法のうちの任意のものを用いて表わされ得る。例えば、上記の説明を通して参照され得るデータ、命令、コマンド、情報、信号、ビット、シンボル、およびチップは、電圧、電流、電磁波、磁界あるいは磁気粒子、光学界または光学粒子、あるいはそれら任意の組み合わせによって表わされ得る。
【０１３１】
[0146]  本明細書の開示に関連して説明される様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタロジック、個別ハードウェアコンポーネント、または本明細書で説明される機能を実行するように設計された任意の組み合わせを用いて実装または実行されうる。汎用プロセッサはマイクロプロセッサであり得るが、代替的に、このプロセッサは、任意の従来のプロセッサ、コントローラ、マイクロコントローラ、またはステートマシンであり得る。プロセッサはまた、例えば、ＤＳＰとマイクロプロセッサの組み合わせ、複数のマイクロプロセッサ、ＤＳＰのコアと連携した１つまたは複数のマイクロプロセッサ、あるいは任意の他のこのような構成のような計算デバイスの組み合わせとして実装され得る。
【０１３２】
[0147］  本明細書で説明される機能は、ハードウェア、プロセッサによって実行されるソフトウェア、ファームウェア、またはそれらの任意の組み合わせにおいて実装され得る。プロセッサによって実行されるソフトウェアで実装される場合、機能は、１つまたは複数の命令またはコードとしてコンピュータ可読媒体上で記憶されるか、またはそれを介して送信され得る。他の例および実装は、本開示および添付の請求項の精神および範囲内にある。例えば、ソフトウェアの本質により、上述される機能は、プロセッサによって実行されるソフトウェア、ハードウェア、ファームウェア、ハードワイヤリング、またはこれらの任意の組み合わせを使用して実装されることができる。機能を実装する特徴はまた、機能の部分が、異なる物理的ロケーションで実装されるように分散されることを含む、様々なポジションに物理的に位置付けられ得る。また、請求項を含めて、本明細書で使用されるように、項目のリストにおいて使用される「または（or）」（例えば、「〜のうちの少なくとも１つ」あるいは「〜のうちの１つまたは複数」のようなフレーズによって前置きされる項目のリスト）は、例えば［Ａ、Ｂ、またはＣのうちの少なくとも１つ］のリストが、ＡまたはＢまたはＣまたはＡＢまたはＡＣまたはＢＣまたはＡＢＣ（すなわち、ＡおよびＢおよびＣ）を意味するように、選言的なリスト（disjunctive list）を指示する。
【０１３３】
[0148]  コンピュータ読取可能な媒体は、１つの場所から別の場所へのコンピュータプログラムの転送を容易にする任意の媒体を含む通信媒体とコンピュータ記憶媒体との両方を含む。記憶媒体は、汎用または専用コンピュータによってアクセスされ得る任意の利用可能な媒体であり得る。限定ではなく例として、コンピュータ読取可能な媒体は、ＲＡＭ、ＲＯＭ、ＥＥＰＲＯＭ（登録商標）、ＣＤ−ＲＯＭ、ＣＤ／ＤＶＤ、または他の光学ディスク記憶装置、磁気ディスク記憶装置または他の磁気記憶デバイス、あるいは、汎用コンピュータまたは専用コンピュータ、あるいは、汎用プロセッサまたは専用プロセッサによってアクセスされることができ、命令またはデータ構造の形式で所望のプログラムコード手段を搬送または記憶するために使用され得る任意の他の媒体を備え得る。また、任意の接続は、コンピュータ可読媒体と厳密には呼ばれ得る。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、送信媒体の定義に含まれる。本明細書で使用されるような、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびＢｌｕ−ｒａｙ（登録商標）ディスクを含み、ここで、ディスク（disks）は通常磁気的にデータを再生し、一方ディスク（discs）はレーザーを用いて光学的にデータを再生する。上記の組み合わせはまた、コンピュータ読取可能な媒体の範囲内に含まれる。
【０１３４】
[0149]  本開示の先の説明は、当業者が本開示を製造または使用することを可能にするように提供されている。本開示に対する様々な変形は当業者にとって容易に明らかであり、本明細書で定義された包括的原理は本開示の主旨または範囲から逸脱することなく他の変形例に適用可能であり得る。この開示を通して、「例」または「例示的な」という用語は、例または事例を示し、記載された例に対する任意の選好を暗示または要求するものではない。よって、本開示は、本明細書に説明される例および設計に制限されるものはなく、本明細書に開示された原理および新規な特徴に合致する最も広い範囲が与えられるべきものである。
以下に、本願出願の当初の特許請求の範囲に記載された発明を付記する。
［Ｃ１］
ワイヤレス通信の方法であって、
第１の基地局にデバイスからの第１のメッセージを送信することと、前記第１のメッセージは、前記デバイスがデバイス・ツー・デバイス（Ｄ２Ｄ）通信セッションを開始することを望むことを指示し、
少なくとも１つのＤ２Ｄ構成パラメータを備える、前記第１の基地局からの第２のメッセージを受信することと、
前記第１の基地局に第３のメッセージを送信することと、前記第３のメッセージは、前記Ｄ２Ｄ通信セッションのために送信すべきデータがあることを指示し、
前記少なくとも１つのＤ２Ｄ構成パラメータに従って送信される、前記第１の基地局からの第４のメッセージを受信することと
を備える、方法。
［Ｃ２］
前記Ｄ２Ｄ通信セッションに従事する１つまたは複数のデバイスのセットを識別する、前記第１の基地局への少なくとも１つのグループ識別（ＩＤ）コードを、前記第１のメッセージにおいて送ること
をさらに備える、Ｃ１に記載の方法。
［Ｃ３］
前記第３のメッセージはさらに、前記少なくとも１つのグループＩＤコードを備える、Ｃ２に記載の方法。
［Ｃ４］
インデックスのセットにグループＩＤコードのセットをマッピングすること
をさらに備え、
ここにおいて、各グループＩＤコードは、異なるインデックスにマッピングされる、Ｃ２に記載の方法。
［Ｃ５］
前記第４のメッセージは、前記インデックスのセットからのインデックスを備える、Ｃ４に記載の方法。
［Ｃ６］
前記少なくとも１つのＤ２Ｄ構成パラメータは、前記Ｄ２Ｄ通信セッションのための前記グループＩＤコードに関連付けられたグループインデックスを備え、ここにおいて、前記Ｄ２Ｄ通信セッションは、前記グループインデックスに従って前記第３のメッセージにおいて識別される、Ｃ２に記載の方法。
［Ｃ７］
送信すべきデータがあるとの前記指示は、バッファステータスレポート（ＢＳＲ）である、Ｃ１に記載の方法。
［Ｃ８］
前記少なくとも１つのＤ２Ｄ構成パラメータは、Ｄ２Ｄ無線ネットワーク一時識別子（ＲＮＴＩ）を備える、Ｃ１に記載の方法。
［Ｃ９］
前記第４のメッセージを前記受信することは、
前記Ｄ２Ｄ ＲＮＴＩを使用して前記第４のメッセージをデスクランブルすることと、
Ｄ２Ｄ通信のためのリソースを取得することと
を備える、Ｃ８に記載の方法。
［Ｃ１０］
前記少なくとも１つのＤ２Ｄ構成パラメータは、Ｄ２Ｄ半持続性スケジューリング（ＳＰＳ）ＲＮＴＩを備える、Ｃ１に記載の方法。
［Ｃ１１］
前記第４のメッセージの一部としてＤ２Ｄ ＳＰＳ起動メッセージを受信することと、
Ｄ２Ｄ ＳＰＳ起動アクノレッジメントを送信することと
をさらに備える、Ｃ１０に記載の方法。
［Ｃ１２］
前記少なくとも１つのＤ２Ｄ構成パラメータは、Ｄ２Ｄ無線リソース制御（ＲＲＣ）構成パラメータを備える、Ｃ１に記載の方法。
［Ｃ１３］
前記第１の基地局から第２の基地局へのハンドオーバを行うことと、
前記第２の基地局との接続モードにある間、前記Ｄ２Ｄ通信セッションを継続することと、ここにおいて、前記Ｄ２Ｄ通信セッションのための構成コンテキストは、前記第１の基地局から前記第２の基地局に送信されている、
をさらに備える、Ｃ１に記載の方法。
［Ｃ１４］
前記第１のメッセージを前記送信することは、前記デバイスにおけるＤ２Ｄ通信モードの選択に応答する、Ｃ１に記載の方法。
［Ｃ１５］
前記第４のメッセージは、Ｄ２Ｄスケジューリング割り当て（ＳＡ）またはＤ２Ｄデータ送信のためのリソース許可を備える、Ｃ１に記載の方法。
［Ｃ１６］
ワイヤレス通信のための装置であって、
プロセッサと、
前記プロセッサと電子通信するメモリと、
前記メモリに記憶された命令と
を備え、前記命令は、
第１の基地局にデバイスからの第１のメッセージを送信することと、前記第１のメッセージは、前記デバイスがデバイス・ツー・デバイス（Ｄ２Ｄ）通信セッションを開始することを望むことを指示し、
少なくとも１つのＤ２Ｄ構成パラメータを備える、前記第１の基地局からの第２のメッセージを受信することと、
前記第１の基地局に第３のメッセージを送信することと、前記第３のメッセージは、前記Ｄ２Ｄ通信セッションのために送信すべきデータがあることを指示し、
前記少なくとも１つのＤ２Ｄ構成パラメータに従って送信される、前記第１の基地局からの第４のメッセージを受信することと
を行うように前記プロセッサによって実行可能である、装置。
［Ｃ１７］
ワイヤレス通信の方法であって、
第１のデバイスからの第１のメッセージを基地局において受信することと、前記第１のメッセージは、前記第１のデバイスがデバイス・ツー・デバイス（Ｄ２Ｄ）通信セッションを開始することを望むことを指示し、
前記基地局から前記第１のデバイスに第２のメッセージを送信することと、前記第２のメッセージは、前記Ｄ２Ｄ通信セッションに関連付けられた少なくとも１つのＤ２Ｄ構成パラメータを備え、
前記Ｄ２Ｄ通信セッションのために送信すべきデータがあることを指示する、前記第１のデバイスからの第３のメッセージを前記基地局において受信することと、
前記少なくとも１つのＤ２Ｄ構成パラメータに従って、前記基地局から前記第１のデバイスに第４のメッセージを送信することと
を備える、方法。
［Ｃ１８］
前記第１のメッセージは、前記Ｄ２Ｄ通信セッションに従事する１つまたは複数のデバイスのセットを識別する、少なくとも１つのグループ識別（ＩＤ）コードを備える、Ｃ１７に記載の方法。
［Ｃ１９］
前記Ｄ２Ｄ通信セッションのための前記グループＩＤコードに関連付けられたグループインデックスを識別すること
をさらに備える、Ｃ１８に記載の方法。
［Ｃ２０］
前記グループインデックスを識別することは、
前記Ｄ２Ｄ通信セッションのための前記グループＩＤコードに前記グループインデックスを割り当てること
を備える、Ｃ１９に記載の方法。
［Ｃ２１］
前記Ｄ２Ｄ通信セッションのための前記グループＩＤコードに前記グループインデックスを割り当てることは、前記グループＩＤコードに関連付けられた優先度レベルに従って、アクティブなＤ２Ｄ通信セッションのためのグループインデックスのセット内に前記グループインデックスを配置することを備える、Ｃ１９に記載の方法。
［Ｃ２２］
システム情報メッセージにおいて前記グループＩＤコードに関連付けられた前記グループインデックスを、前記基地局からブロードキャストすること
をさらに備える、Ｃ１９に記載の方法。
［Ｃ２３］
前記Ｄ２Ｄ通信セッションについての承認のために加入者サーバにＤ２Ｄセッション要求メッセージを送ることと、
前記加入者サーバからの前記Ｄ２Ｄ通信セッションについてのＤ２Ｄサービス情報を受信することと、前記Ｄ２Ｄサービス情報は、前記第１のデバイスの加入者プロファイルに少なくとも部分的に基づく、
をさらに備える、Ｃ１８に記載の方法。
［Ｃ２４］
前記Ｄ２Ｄサービス情報は、前記Ｄ２Ｄ通信セッションのための前記グループＩＤコードに関連付けられたグループインデックス、前記グループＩＤコードに関連付けられたグループ優先度情報、前記グループＩＤコードに関連付けられたデバイスについてのユーザ優先度情報、またはこれらの組み合わせ、のうちのいずれかを備える、Ｃ２３に記載の方法。
［Ｃ２５］
前記グループ優先度情報に少なくとも部分的に基づいて、前記Ｄ２Ｄ通信セッションのためのリソース割り振りを決定すること
をさらに備える、Ｃ２４に記載の方法。
［Ｃ２６］
前記第４のメッセージは、前記Ｄ２Ｄ通信セッションの第１のＤ２Ｄデータ送信のための第１のリソース許可を備え、ここにおいて、前記第１のリソース許可は、前記Ｄ２Ｄ通信セッションのための前記決定されたリソース割り振りに少なくとも部分的に基づく、Ｃ２５に記載の方法。
［Ｃ２７］
第２のデバイスが前記Ｄ２Ｄ通信セッションのために送信すべきデータを有するとの、前記グループＩＤコードに関連付けられた前記第２のデバイスからの指示を前記基地局において受信することと、
前記Ｄ２Ｄ通信セッションの第２のＤ２Ｄデータ送信のための、前記第２のデバイスへの第２のリソース許可を前記基地局から送信することと
をさらに備える、Ｃ２６に記載の方法。
［Ｃ２８］
前記第１および第２のリソース許可は、前記第１および第２のデバイスに関連付けられた、それぞれのユーザ優先度情報に少なくとも部分的に基づく、Ｃ２７に記載の方法。
［Ｃ２９］
前記グループ優先度情報は、前記グループＩＤコードに関連付けられた割り振り保持優先度（ＡＲＰ）を備える、Ｃ２４に記載の方法。
［Ｃ３０］
ワイヤレス通信のための装置であって、
プロセッサと、
前記プロセッサと電子通信するメモリと、
前記メモリに記憶された命令と
を備え、前記命令は、
第１のデバイスからの第１のメッセージを基地局において受信することと、前記第１のメッセージは、前記第１のデバイスがデバイス・ツー・デバイス（Ｄ２Ｄ）通信セッションを開始することを望むことを指示し、
前記基地局から前記第１のデバイスに第２のメッセージを送信することと、前記第２のメッセージは、前記Ｄ２Ｄ通信セッションに関連付けられた少なくとも１つのＤ２Ｄ構成パラメータを備え、
前記Ｄ２Ｄ通信セッションのために送信すべきデータがあることを指示する、前記第１のデバイスからの第３のメッセージを前記基地局において受信することと、
前記少なくとも１つのＤ２Ｄ構成パラメータに従って、前記基地局から前記第１のデバイスに第４のメッセージを送信することと
を行うために前記プロセッサによって実行可能である、装置。
【図１】
0006262369.tif 000002
【図２】
0006262369.tif 000003
【図３】
0006262369.tif 000004
【図４】
0006262369.tif 000005
【図５】
0006262369.tif 000006
【図６】
0006262369.tif 000007
【図７】
0006262369.tif 000008
【図８】
0006262369.tif 000009
【図９】
0006262369.tif 000010
【図１０】
0006262369.tif 000011
【図１１】
0006262369.tif 000012
【図１２】
0006262369.tif 000013
【図１３】
0006262369.tif 000014
【図１４】
0006262369.tif 000015
【図１５】
0006262369.tif 000016